(57)【要約】【課題】  仕切部材によって送風機室と熱交換器室とに仕切られたユニットケーシングを備え、羽根車及びスクロールケーシングが送風機室内に配置され、熱交換器が熱交換器室内に配置された空気調和装置において、送風能力の低下を抑えつつ、熱交換器を通過する空気の偏流を抑える。【解決手段】  空気調和装置１は、仕切部材２４によって送風機室Ｓ１と熱交換器室Ｓ２とに仕切られたユニットケーシング２と、送風機室Ｓ１内に配置された羽根車３１ａ〜３１ｄ及びスクロールケーシング３２ａ〜３２ｄと、スクロールケーシング３２ａ〜３２ｄのスクロール吹出口３５ａ〜３５ｄに対向して熱交換器室Ｓ２内に配置された熱交換器４とを備えている。スクロールケーシング３２ａ〜３２ｄのスクロール出口部３７ａ〜３７ｄの外側には、仕切部材２４の平板部２５の熱交換器４側に突出する壁部６１ａ〜６１ｄが設けられている。【選択図】      図３
2006125828.tif 000002
【特許請求の範囲】
【請求項１】
ユニット吸入口（２ａ）（１０２ａ）とユニット吹出口（２ｂ）（１０２ｉ）とを有するユニットケーシング（２）（１０２）と、
前記ユニット吸入口に連通される送風機室（Ｓ１）（Ｓ１０１）と、前記ユニット吹出口に連通される熱交換器室（Ｓ２）（Ｓ１０２）とに前記ユニットケーシング内の空間を仕切る部材であり、前記送風機室と前記熱交換器室とを連通する連通開口（２５ａ〜２５ｄ）（１２５ａ、１２５ｂ）が形成された平板部（２５）（１２５）を有する仕切部材（２４）（１２４）と、
前記送風機室に配置される羽根車（３１ａ〜３１ｄ）（１３１ａ、１３１ｂ）と、
スクロール吸入口（３４ａ〜３４ｄ）（１３４ａ、１３４ｂ）を有し前記羽根車を収容するスクロール本体部（３６ａ〜３６ｄ）（１３６ａ、１３６ｂ）と、前記連通開口に対応して配置されるスクロール吹出口（３５ａ〜３５ｄ）（１３５ａ、１３５ｂ）を有する筒状のスクロール出口部（３７ａ〜３７ｄ）（１３７ａ、１３７ｂ）とを有するスクロールケーシング（３２ａ〜３２ｄ）（１３２ａ、１３２ｂ）と、
前記スクロール吹出口に対向して配置されており、前記スクロール吹出口から前記熱交換器室内に吹き出された空気が通過した後に前記ユニット吹出口から吹き出されるように前記熱交換器室内に配置される熱交換器（４）（１０４）とを備え、
前記スクロール出口部の外側には、前記平板部の熱交換器側に突出する壁部（６１ａ〜６１ｄ）（１６１ａ、１６１ｂ）が設けられている、
空気調和装置（１）（１０１）。
【請求項２】
前記スクロール出口部（３７ａ〜３７ｄ）（１３７ａ、１３７ｂ）と前記平板部（２５）（１２５）の熱交換器側の面とが交わる部分と、前記壁部（６１ａ〜６１ｄ）（１６１ａ、１６１ｂ）と前記平板部の熱交換器側の面とが交わる部分との距離（ｃ）は、前記羽根車（３１ａ〜３１ｄ）（１３１ａ、１３１ｂ）のロータ幅（Ｗ）の０．５倍以下である、請求項１に記載の空気調和装置（１）（１０１）。
【請求項３】
前記平板部（２５）（１２５）の熱交換器側の面から前記スクロール出口部（３７ａ〜３７ｄ）（１３７ａ、１３７ｂ）の熱交換器側の端部までの距離（ａ）は、０より大きく、前記羽根車（３１ａ〜３１ｄ）（１３１ａ、１３１ｂ）のロータ径（Ｄ）の０．３倍以下である、請求項１又は２に記載の空気調和装置（１）（１０１）。
【請求項４】
前記平板部（２５）（１２５）の熱交換器側の面から前記壁部（６１ａ〜６１ｄ）（１６１ａ、１６１ｂ）の熱交換器側の端部までの距離（ｂ）は、前記平板部の熱交換器側の面から前記スクロール出口部（３７ａ〜３７ｄ）（１３７ａ、１３７ｂ）の熱交換器側の端部までの距離（ａ）以上であり、前記羽根車（３１ａ〜３１ｄ）（１３１ａ、１３１ｂ）のロータ径（Ｄ）の０．５倍以下である、請求項３に記載の空気調和装置（１）（１０１）。
【請求項５】
前記壁部（６１ａ〜６１ｄ）（１６１ａ、１６１ｂ）と前記平板部（２５）（１２５）の熱交換器側の面とがなす角度（θ）は、３０°より大きく、９０°以下である、請求項１〜４のいずれかに記載の空気調和装置（１）（１０１）。
【請求項６】
前記壁部（６１ａ〜６１ｄ）（１６１ａ、１６１ｂ）の熱交換器室側の端部には、セレーション（７１）（１７１）が設けられている、請求項１〜５のいずれかに記載の空気調和装置（１）（１０１）。
【請求項７】
前記壁部（６１ａ〜６１ｄ）（１６１ａ、１６１ｂ）のスクロール出口部側の面には、複数のディンプル（７２）（１７２）が設けられている、請求項１〜６のいずれかに記載の空気調和装置（１）（１０１）。
【請求項８】
前記壁部（６１ａ〜６１ｄ）（１６１ａ、１６１ｂ）には、複数の貫通孔（７３）（１７３）が設けられている、請求項１〜６のいずれかに記載の空気調和装置（１）（１０１）。
【請求項９】
前記羽根車（３１ａ〜３１ｄ）は、前記平板部（２５）に沿う回転軸（Ｏ）を中心として回転するように配置されており、
前記送風機室（Ｓ１）内の前記スクロールケーシング（３２ａ〜３２ｄ）の回転軸方向側に配置されており、前記羽根車を回転駆動する電動機（３３）をさらに備えており、
前記スクロール出口部（３７ｂ、３７ｃ）は、回転軸方向のサイズを大きくすることなく、前記電動機側に傾斜しながら前記連通開口（２５ｂ、２５ｃ）に向かって延びている、
請求項１〜８のいずれかに記載の空気調和装置（１）。
【請求項１０】
前記羽根車（１３１ａ、１３１ｂ）は、前記平板部（１２５）に沿う回転軸（Ｏ）を中心として回転するように配置されており、
前記壁部（１６１ａ、１６１ｂ）は、前記スクロール出口部（１３７ａ、１３７ｂ）の回転軸方向の外側に配置されている、
請求項１〜８のいずれかに記載の空気調和装置（１０１）。
【請求項１１】
前記羽根車（１３１ａ、１３１ｂ）及び前記スクロールケーシング（１３２ａ、１３２ｂ）は、回転軸方向に複数並んで配置されており、
前記壁部（１６１ａ、１６１ｂ）は、前記各スクロール出口部（１３７ａ、１３７ｂ）の外側のうち、隣り合うスクロールケーシング側に配置されている、
請求項１０に記載の空気調和装置（１０１）。
【請求項１２】
前記送風機室（Ｓ１０１）内の前記スクロールケーシング（１３２ａ、１３２ｂ）の回転軸方向側に配置されており、前記羽根車（１３１ａ、１３１ｂ）を回転駆動する電動機（１３３）をさらに備えており、
前記壁部（１６１ａ、１６１ｂ）は、前記スクロール出口部（１３７ａ、１３７ｂ）の外側のうち、前記電動機側に配置されている、
請求項１０又は１１に記載の空気調和装置（１０１）。
【請求項１３】
前記スクロール出口部（１３７ａ、１３７ｂ）は、回転軸方向のサイズを大きくすることなく、前記電動機側に傾斜しながら前記連通開口（１２５ａ、１２５ｂ）に向かって延びている、
請求項１２のいずれかに記載の空気調和装置（１０１）。
【発明の詳細な説明】
【技術分野】
【０００１】
本発明は、空気調和装置、特に、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置に関する。
【背景技術】
【０００２】
従来より、羽根車と羽根車を収容するスクロールケーシングとを有する遠心送風機と、熱交換器とが仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置がある。
【０００３】
このような空気調和装置の一例として、天井吊下タイプの空気調和装置がある。この天井吊下タイプの空気調和装置は、主として、天井に吊り下げ可能なユニットケーシングと、ユニット吸入口を介してユニットケーシング内に空気を吸入してユニット吹出口から空気を吹き出す遠心送風機と、熱交換器とを備えている。
ユニットケーシングは、底面にユニット吸入口と前面にユニット吹出口とが形成されている。また、ユニットケーシングには、側方に長く縦向きに配置された板状の部材からなる仕切部材が配置されており、ユニット吸入口に連通される背面側の送風機室とユニット吹出口に連通される前面側の熱交換器室とにユニットケーシング内の空間を仕切っている。より具体的には、仕切部材は、ユニットケーシングの前面及び背面に平行（すなわち、ユニットケーシングの側面に直交）する平板部を有している。この平板部には、送風機室と熱交換器室を連通する連通開口が形成されている。
【０００４】
遠心送風機は、送風機室内に配置されており、主として、羽根車と、羽根車を収容するスクロールケーシングと、羽根車を回転駆動するモータとを有している。羽根車は、その回転軸がユニットケーシングの側方を向くように配置された、例えば、両吸込タイプのシロッコファンロータである。スクロールケーシングは、羽根車の回転軸方向に向かって開口したスクロール吸入口を有するスクロール本体部と、スクロール吸入口に交差する方向に空気を吹き出すように形成されており仕切部材の連通開口に対応するように配置されたスクロール吹出口を有する筒状のスクロール出口部とを有している。このような空気調和装置では、羽根車及びスクロールケーシングが回転軸方向、すなわち、ユニットケーシングの側方に向かって複数台並べて設けられる場合が多く、この場合には、複数の羽根車が１台のモータにより一括して回転駆動される。
【０００５】
熱交換器は、スクロール吹出口、より具体的には、仕切部材の平板部のほぼ全面に対向して熱交換器室内に配置されており、送風機室内で遠心送風機により昇圧されてスクロールケーシングのスクロール吹出口から熱交換器室内に吹き出された空気を冷却や加熱するための機器である。
このような空気調和装置では、遠心送風機を作動させることによって、ユニット吸入口を介してユニットケーシングの送風機室内に空気が吸入され、送風機室内に吸入された空気がスクロール吸入口を通じてスクロールケーシング内に吸入され、羽根車の内周側から外周側に吹き出される。この羽根車の外周側に吹き出されて昇圧された空気は、仕切部材の連通開口に対応するように配置されたスクロール吹出口から熱交換器室内に吹き出される。そして、スクロール吹出口から熱交換器室内に吹き出された空気は、熱交換器の伝熱管内を流れる冷媒と熱交換を行うことによって冷却又は加熱されて、ユニット吹出口から室内に吹き出されるようになっている（例えば、特許文献１参照。）。
【０００６】
しかし、上記従来の空気調和装置では、熱交換器が仕切部材の平板部のほぼ全面に対向しているのに対して、平板部の連通開口、すなわち、スクロールケーシングのスクロール吹出口が仕切部材の平板部に部分的に設けられているだけであるため、スクロール吹出口から熱交換器室内に吹き出される空気がほとんど拡散することなく熱交換器を通過することになり、熱交換器を通過する空気に偏流が生じて、熱交換器における通風抵抗が増加したり、送風能力及び熱交換能力が低下するという問題が生じることになる。特に、上記従来の空気調和装置のように、羽根車及びスクロールケーシングを複数台並べて設けた構成の場合には、各スクロール吹出口において上記の問題が生じることになる。
【０００７】
これに対して、スクロール出口部の羽根車の回転軸方向のサイズを拡大したスクロールケーシングを備えた空気調和装置が提案されている（特許文献２参照。）。
【特許文献１】特開２００２−１０６９４５号公報
【特許文献２】特開平５−９９４４４号公報
【発明の開示】
【発明が解決しようとする課題】
【０００８】
上記後者の空気調和装置においては、スクロール吹出口のサイズを大きくすることになるため、熱交換器を通過する空気が偏流するという問題は改善されるが、スクロール出口部のサイズが羽根車のサイズよりもかなり大きなサイズになってしまうため、スクロール吸入口の邪魔になったり、スクロール出口部における動圧回収がされにくくなり、結果的に、送風能力を低下させてしまうおそれがある。
【０００９】
また、スクロール出口部のサイズを大きくできるほど送風機室内のスペースに余裕がある場合には、羽根車及びスクロールケーシング自体のサイズを大きくすればよいため、送風機室内のスペースに余裕がない場合やユニットケーシングをコンパクトにしなければならない場合には、上記後者の空気調和装置の構成を適用するのが困難である。
本発明の課題は、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、送風能力の低下を抑えつつ、熱交換器を通過する空気の偏流を抑えることにある。
【課題を解決するための手段】
【００１０】
第１の発明にかかる空気調和装置は、ユニットケーシングと、仕切部材と、羽根車と、スクロールケーシングと、熱交換器とを備えている。ユニットケーシングは、ユニット吸入口とユニット吹出口とを有している。仕切部材は、ユニット吸入口に連通される送風機室と、ユニット吹出口に連通される熱交換器室とにユニットケーシング内の空間を仕切る部材であり、送風機室と熱交換器室とを連通する連通開口が形成された平板部を有している。羽根車は、送風機室に配置されている。スクロールケーシングは、スクロール吸入口を有し羽根車を収容するスクロール本体部と、連通開口に対応して配置されるスクロール吹出口を有する筒状のスクロール出口部とを有している。熱交換器は、スクロール吹出口に対向して配置されており、スクロール吹出口から熱交換器室内に吹き出された空気が通過した後にユニット吹出口から吹き出されるように熱交換器室内に配置されている。スクロール出口部の外側には、平板部の熱交換器側に突出する壁部が設けられている。
【００１１】
この空気調和装置では、スクロール出口部の外側に平板部の熱交換器側に突出する壁部が設けられているため、熱交換器室内において、スクロール吹出口の外側近傍にスクロール吹出口から熱交換器室内に吹き出された空気の圧力よりも圧力の低い部分（以下、負圧部とする）が形成される。そして、スクロール吹出口から熱交換器室内に吹き出される空気は、この負圧部に引き込まれるように流れるようになるため、スクロール吹出口の外側へ拡散される。これにより、送風能力の低下を抑えつつ、熱交換器を通過する空気の偏流を抑えることができる。
【００１２】
第２の発明にかかる空気調和装置は、第１の発明にかかる空気調和装置において、スクロール出口部と平板部の熱交換器側の面とが交わる部分と、壁部と平板部の熱交換器側の面とが交わる部分との距離は、羽根車のロータ幅の０．５倍以下である。
この空気調和装置では、スクロール出口部と平板部の熱交換器側の面とが交わる部分と壁部と平板部の熱交換器側の面とが交わる部分との距離を羽根車のロータ幅の０．５倍以下にすることによって、スクロール吹出口の外側近傍に負圧部を確実に形成させることができる。
【００１３】
第３の発明にかかる空気調和装置は、第１又は第２の発明にかかる空気調和装置において、平板部の熱交換器側の面からスクロール出口部の熱交換器側の端部までの距離は、０より大きく、羽根車のロータ径の０．３倍以下である。
この空気調和装置では、平板部の熱交換器側の面からスクロール出口部の熱交換器側の端部までの距離を０より大きくする、すなわち、スクロール出口部の熱交換器側の端部を熱交換器室側に突出させることによって、スクロール吹出口から熱交換器室内に吹き出される空気をスクロール吹出口の外側へ拡散させる効果の大きい、スクロール吹出口の外側近傍にスクロール出口部の熱交換器側の端部と壁部とに挟まれた空間からなる負圧部を形成することができる。しかも、平板部の熱交換器側の面からスクロール出口部の熱交換器側の端部までの距離を羽根車のロータ径の０．３倍以下にすることによって、スクロール吹出口と熱交換器との間に、スクロール吹出口から熱交換器室内に吹き出される空気がスクロール吹出口の外側に拡散するのに十分な距離を確保することができる。
【００１４】
第４の発明にかかる空気調和装置は、第３の発明にかかる空気調和装置において、平板部の熱交換器側の面から壁部の熱交換器側の端部までの距離は、平板部の熱交換器側の面からスクロール出口部の熱交換器側の端部までの距離以上であり、羽根車のロータ径の０．５倍以下である。
この空気調和装置では、平板部の熱交換器側の面から壁部の熱交換器側の端部までの距離を平板部の熱交換器側の面からスクロール出口部の熱交換器側の端部までの距離以上、すなわち、壁部の端部をスクロール出口部の熱交換器側の端部よりも熱交換器側に突出させることによって、スクロール出口部の熱交換器側の端部と壁部とに挟まれた空間からなる負圧部の圧力とスクロール吹出口から熱交換器室内に吹き出される空気の圧力との圧力差を大きくすることができるため、スクロール吹出口から熱交換器室内に吹き出される空気をスクロール吹出口の外側へ拡散させる効果を高めることができる。しかも、平板部の熱交換器側の面から壁部の熱交換器側の端部までの距離を羽根車のロータ径の０．５倍以下にすることによって、負圧部によってスクロール吹出口の外側に向かって拡散しようとする空気の流れを壁部によって極力制限しないようにすることができるため、スクロール吹出口から熱交換器室内に吹き出される空気を壁部の外側までさらに拡散させることができる。
【００１５】
第５の発明にかかる空気調和装置は、第１〜第４の発明のいずれかにかかる空気調和装置において、壁部と平板部の熱交換器側の面とがなす角度は、３０°より大きく、９０°以下である。
この空気調和装置では、壁部と平板部の熱交換器側の面とがなす角度を３０°より大きくすることによって、スクロール吹出口の外側近傍に負圧部を確実に形成させることができる。しかも、壁部と平板部の熱交換器側の面とがなす角度を９０°以下にすることによって、スクロール吹出口から熱交換器室内に吹き出される空気がスクロール吹出口の外側へ確実に拡散されるようにできる。
【００１６】
第６の発明にかかる空気調和装置は、第１〜第５の発明のいずれかにかかる空気調和装置において、壁部の熱交換器側の端部には、セレーションが設けられている。
この空気調和装置では、壁部の熱交換器側の端部にセレーションが設けられているため、壁部の熱交換器側の端部におけるスクロール吹出口から熱交換器室内に吹き出される空気の圧力変動を抑えることができる。これにより、壁部の熱交換器側の端部における圧力変動による騒音の発生を抑えることができる。
【００１７】
第７の発明にかかる空気調和装置は、第１〜第６の発明のいずれかにかかる空気調和装置において、壁部のスクロール出口部側の面には、複数のディンプルが設けられている。
この空気調和装置では、壁部のスクロール出口部側の面に複数のディンプルが設けられているため、スクロール吹出口から熱交換器室内に吹き出される空気を、壁部のスクロール出口部側の面に沿わせることができる。これにより、スクロール吹出口から熱交換器室内に吹き出される空気をスクロール吹出口の外側へ拡散させる効果を高めることができる。
【００１８】
第８の発明にかかる空気調和装置は、第１〜第６の発明のいずれかにかかる空気調和装置において、壁部には、複数の貫通孔が設けられている。
この空気調和装置では、壁部に複数の貫通孔が設けられているため、スクロール吹出口から熱交換器室内に吹き出される空気を、壁部のスクロール出口部側の面に沿わせることができる。これにより、スクロール吹出口から熱交換器室内に吹き出される空気をスクロール吹出口の外側へ拡散させる効果を高めることができる。
【００１９】
第９の発明にかかる空気調和装置は、第１〜第８の発明のいずれかにかかる空気調和装置において、羽根車は、平板部に沿う回転軸を中心として回転するように配置されている。この空気調和装置は、送風機室内のスクロールケーシングの回転軸方向側に配置されており、羽根車を回転駆動する電動機をさらに備えている。スクロール出口部は、回転軸方向のサイズを大きくすることなく、電動機側に傾斜しながら連通開口に向かって延びている。
【００２０】
従来の空気調和装置のように、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置では、羽根車が仕切部材の平板部に沿う回転軸を中心として回転するように配置されており、羽根車を回転駆動する電動機が送風機室内のスクロールケーシングの回転軸方向側に配置されている。
【００２１】
このような構成を有する空気調和装置では、スクロールケーシングのスクロール吹出口から熱交換器室内に吹き出された空気が、主として熱交換器のうち平板部を挟んでスクロールケーシングに対向する部分を通過してしまい、熱交換器のうち平板部を挟んで電動機に対向する部分を通過しにくくなっているため、熱交換器を通過する空気に偏流が生じて、熱交換器における通風抵抗が増加したり、送風能力及び熱交換能力が低下するという問題が生じることになる。
【００２２】
これに対して、本発明にかかる空気調和装置では、スクロール出口部が、回転軸方向のサイズを大きくすることなく、電動機側に傾斜しながら連通開口に向かって延びているため、熱交換器のうち平板部を挟んで電動機に対向する部分も通過しやすくなり、熱交換器を通過する空気の偏流を抑えることができる。しかも、スクロール出口部の回転軸方向のサイズを大きくしないようにしているため、スクロール出口部における動圧回収がされにくくなる等の不具合も生じにくく、送風性能の低下を抑えることができる。
【００２３】
第１０の発明にかかる空気調和装置は、第１〜第８の発明のいずれかにかかる空気調和装置において、羽根車は、平板部に沿う回転軸を中心として回転するように配置されている。壁部は、スクロール出口部の回転軸方向の外側に配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されている場合には、この回転軸に交わる方向に開口するスクロール出口部から熱交換器室に吹き出される空気が、回転軸に沿う方向には拡散されにくい傾向が強い。
【００２４】
しかし、この空気調和装置では、この回転軸方向の外側に壁部が設けられているため、熱交換器室内において、スクロール吹出口の回転軸方向の外側近傍に負圧部が形成される。そして、スクロール吹出口から熱交換器室内に吹き出される空気は、この負圧部に引き込まれるように流れるようになるため、スクロール吹出口の回転軸方向の外側へ拡散されやすくなる。これにより、送風能力の低下を抑えつつ、熱交換器を通過する空気の偏流を抑えることができる。
【００２５】
第１１の発明にかかる空気調和装置は、第１０の発明にかかる空気調和装置において、羽根車及びスクロールケーシングは、回転軸方向に複数並んで配置されている。壁部は、各スクロール出口部の外側のうち、隣り合うスクロールケーシング側に配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されており、羽根車及びスクロールケーシングを回転軸方向に複数並べている場合には、隣り合うスクロールケーシング間に隙間が形成されることとなり、スクロール出口部から熱交換器室内に吹き出された空気が、この隙間に対応する部分を通過しにくくなる。
【００２６】
しかし、この空気調和装置では、壁部が、スクロール出口部の外側のうち、隣り合うスクロールケーシング側に配置されているため、熱交換器室内において、スクロール吹出口の隣り合うスクロールケーシング側に負圧部が形成される。そして、スクロール吹出口から熱交換器室内に吹き出される空気は、この負圧部に引き込まれるように流れるようになるため、スクロール吹出口の隣り合うスクロールケーシング側へ拡散されやすくなる。これにより、送風能力の低下を抑えつつ、熱交換器を通過する空気の偏流を抑えることができる。
【００２７】
第１２の発明にかかる空気調和装置は、第１０又は第１１の発明にかかる空気調和装置において、送風機室内のスクロールケーシングの回転軸方向側に配置されており、羽根車を回転駆動する電動機をさらに備えている。壁部は、スクロール出口部の外側のうち、電動機側に配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されており、羽根車を回転駆動する電動機がスクロールケーシングの回転軸方向側に配置されている場合には、スクロール吹出口から熱交換器室内に吹き出された空気が、主として熱交換器のうち平板部を挟んでスクロールケーシングに対向する部分を通過してしまい、熱交換器のうち平板部を挟んで電動機に対向する部分を通過しにくくなる。
【００２８】
しかし、この空気調和装置では、壁部が、スクロール出口部の外側のうち、電動機側に配置されているため、熱交換器室内において、スクロール吹出口の電動機側に負圧部が形成される。そして、スクロール吹出口から熱交換器室内に吹き出される空気は、この負圧部に引き込まれるように流れるようになるため、スクロール吹出口の電動機側へ拡散されやすくなる。これにより、送風能力の低下を抑えつつ、熱交換器を通過する空気の偏流を抑えることができる。
【００２９】
第１３の発明にかかる空気調和装置は、第１２の発明にかかる空気調和装置において、スクロール出口部は、回転軸方向のサイズを大きくすることなく、電動機側に傾斜しながら前記連通開口に向かって延びている。
この空気調和装置では、スクロール出口部が、回転軸方向のサイズを大きくすることなく、電動機側に傾斜しながら連通開口に向かって延びているため、熱交換器のうち平板部を挟んで電動機に対向する部分も通過しやすくなり、熱交換器を通過する空気の偏流をさらに抑えることができる。しかも、スクロール出口部の回転軸方向のサイズを大きくしないようにしているため、スクロール出口部における動圧回収がされにくくなる等の不具合も生じにくく、送風性能の低下を抑えることができる。
【発明の効果】
【００３０】
以上の説明に述べたように、本発明によれば、以下の効果が得られる。
第１の発明では、スクロール出口部の外側に平板部の熱交換器側に突出する壁部が設けられているため、スクロール吹出口の外側へ拡散される。
第２の発明では、スクロール出口部と平板部の熱交換器側の面とが交わる部分と壁部と平板部の熱交換器側の面とが交わる部分との距離を羽根車のロータ幅の０．５倍以下にすることによって、スクロール吹出口の外側近傍に負圧部を確実に形成させることができる。
【００３１】
第３の発明では、平板部の熱交換器側の面からスクロール出口部の熱交換器側の端部までの距離を０より大きくし、かつ、羽根車のロータ径の０．３倍以下にすることによって、スクロール吹出口の外側近傍にスクロール出口部の熱交換器側の端部と壁部とに挟まれた空間からなる負圧部を形成し、かつ、スクロール吹出口から熱交換器室内に吹き出される空気がスクロール吹出口の外側に拡散するのに十分な距離を確保することができる。
【００３２】
第４の発明では、平板部の熱交換器側の面から壁部の熱交換器側の端部までの距離を平板部の熱交換器側の面からスクロール出口部の熱交換器側の端部までの距離以上とし、かつ、羽根車のロータ径の０．５倍以下にすることによって、スクロール吹出口から熱交換器室内に吹き出される空気をスクロール吹出口の外側へ拡散させる効果を高め、かつ、スクロール吹出口から熱交換器室内に吹き出される空気を壁部の外側までさらに拡散させることができる。
【００３３】
第５の発明では、壁部と平板部の熱交換器側の面とがなす角度を３０°より大きくし、かつ、壁部と平板部の熱交換器側の面とがなす角度を９０°以下にすることによって、スクロール吹出口の外側近傍に負圧部を確実に形成し、かつ、スクロール吹出口から熱交換器室内に吹き出される空気がスクロール吹出口の外側へ確実に拡散されるようにできる。
第６の発明では、壁部の熱交換器側の端部にセレーションが設けられているため、壁部の熱交換器側の端部におけるスクロール吹出口から熱交換器室内に吹き出される空気の圧力変動を抑えることができる。
【００３４】
第７の発明では、壁部のスクロール出口部側の面に複数のディンプルが設けられているため、スクロール吹出口から熱交換器室内に吹き出される空気を、壁部のスクロール出口部側の面に沿わせることができる。
第８の発明では、壁部に複数の貫通孔が設けられているため、スクロール吹出口から熱交換器室内に吹き出される空気を、壁部のスクロール出口部側の面に沿わせることができる。
【００３５】
第９の発明では、スクロール出口部が、回転軸方向のサイズを大きくすることなく、電動機側に傾斜しながら連通開口に向かって延びているため、送風能力の低下を抑えつつ、熱交換器を通過する空気の偏流を抑えることができる。
第１０の発明では、羽根車の回転軸方向の外側に壁部が設けられているため、スクロール吹出口の回転軸方向の外側へ拡散される。
【００３６】
第１１の発明では、壁部が、スクロール出口部の外側のうち、隣り合うスクロールケーシング側に配置されているため、スクロール吹出口の隣り合うスクロールケーシング側へ拡散される。
第１２の発明では、壁部が、スクロール出口部の外側のうち、電動機側に配置されているため、スクロール吹出口の電動機側へ拡散される。
【００３７】
第１３の発明では、スクロール出口部が、回転軸方向のサイズを大きくすることなく、電動機側に傾斜しながら連通開口に向かって延びているため、送風能力の低下を抑えつつ、熱交換器を通過する空気の偏流を抑えることができる。
【発明を実施するための最良の形態】
【００３８】
以下、図面に基づいて、本発明にかかる空気調和装置の実施形態について説明する。
＜第１実施形態＞
（１）空気調和装置の基本構造
図１及び図２に、本発明にかかる空気調和装置の第１実施形態としての天井吊下タイプの空気調和装置１を示す。ここで、図１は、空気調和装置１の側面断面図（スクロールケーシング３２ｂの断面を図示）である。図２は、空気調和装置１の平面断面図である。
この空気調和装置１は、空調室の天井に吊り下げられて設置されており、室外に配置される室外ユニット（図示せず）に冷媒連絡配管（図示せず）を介して接続されている。
空気調和装置１は、主として、ユニットケーシング２と、遠心送風機３と、熱交換器４とを備えている。
【００３９】
＜ユニットケーシング＞
ユニットケーシング２は、全体として側方に長い薄型箱形状であり、背面側から前面側にかけて高さ方向の寸法が小さくなるように形成されている。ユニットケーシング２の底面の背面側の部分には、室内の空気をユニットケーシング２内に吸入するユニット吸入口２ａが設けられている。また、ユニットケーシング２の前面には、冷却又は加熱された空気をユニットケーシング２内から室内に吹き出すユニット吹出口２ｂが設けられている。
【００４０】
より具体的には、ユニットケーシング２は、主として、天井に吊り下げ可能な天板部２１と、天板部２１の前面側の部分に対向して配置される底板部２２と、天板部２１の背面側の部分に対向して配置される吸入グリル２３とを有している。天板部２１は、１対の側面と背面とが板金加工により折り曲げて形成された金属製の板状部材である。吸入グリル２３は、着脱可能に天板部２１に装着されており、吸入口２ａを構成している。
【００４１】
また、ユニットケーシング２の底板部２２と吸入グリル２３との間には、側方に長く縦向きに配置された板状の部材からなる仕切部材２４が設けられている。仕切部材２４は、ユニット吸入口２ａに連通される背面側の送風機室Ｓ１とユニット吹出口２ｂに連通される前面側の熱交換器室Ｓ２とにユニットケーシング２内の空間を仕切っている。より具体的には、仕切部材２４は、本実施形態において、ユニットケーシング２の前面及び背面に平行（すなわち、ユニットケーシング２の側面に直交）する平板部２５を有している。そして、この平板部２５には、遠心送風機３を構成する４つのスクロールケーシング３２ａ〜３２ｄの各スクロール吹出口３５ａ〜３５ｄ（後述）に対応しており、送風機室Ｓ１と熱交換器室Ｓ２とを連通する４つの連通開口２５ａ〜２５ｄが形成されている。４つの連通開口２５ａ〜２５ｄは、平板部２５の長手方向に並んで配置されており、本実施形態において、横長の長方形状の角孔である。
【００４２】
ユニットケーシング２の前面、側面及び底面は、合成樹脂製の化粧部材２６により覆われている。天板部２１のユニット吹出口２ｂの近傍には、例えば、発泡スチロール等からなる断熱部材２７が装着されている。また、底板部２２の内部には、例えば、発泡スチロール等からなるドレンパン２８が装着されている。これらのユニットケーシング２の前面側の部分、化粧部材２６、断熱部材２７の前面側の部分及びドレンパン２８の前面側の部分により、略矩形で側方に長いユニット吹出口２ｂが構成されている。
【００４３】
ユニット吹出口２ｂには、上下に揺動する第１フラップ２９と、左右に揺動する複数の第２フラップ３０とが設けられている。第１フラップ２９は、側方に長い板状の部材からなり、ユニット吹出口２ｂの長手方向に沿う第１軸Ｘ１周りに揺動自在にユニットケーシング２に支持されている。複数の第２フラップ３０は、第１軸Ｘ１の背面側の位置で第１軸Ｘ１と食い違う第２軸Ｘ２回りに揺動自在にユニットケーシング２に支持されている。
【００４４】
＜遠心送風機＞
遠心送風機３は、送風機室Ｓ１内に配置されており、ユニット吸入口２ａから送風機室Ｓ１内に空気を吸入して昇圧し、仕切部材２４の連通開口２５ａ〜２５ｄを通じて熱交換器室Ｓ２に吹き出すための機器である。そして、遠心送風機３は、主として、４つの羽根車３１ａ〜３１ｄと、各羽根車３１ａ〜３１ｄを収容する４つのスクロールケーシング３２ａ〜３２ｄと、羽根車３１ａ〜３１ｄを回転駆動するモータ３３とを有している。
【００４５】
まず、羽根車３１ａ〜３１ｄについて、図１及び図２を用いて説明する。羽根車３１ａ〜３１ｄは、本実施形態においては、両吸込タイプのシロッコファンロータであり、その回転軸Ｏがユニットケーシング２の側方を向くように（すなわち、仕切部材２４の平板部２５に沿うように）並んで配置されている。尚、羽根車３１ａ〜３１ｄはすべて同様の構造であるため、ここでは、羽根車３１ｂの構成のみを説明し、羽根車３１ａ、３１ｃ、３１ｄの構成については、羽根車３１ｂの各部を示す符号ｂの代わりに符号ａ、ｃ、ｄを付して、各部の説明を省略する。
【００４６】
羽根車３１ｂは、主として、回転軸Ｏを中心として回転する円板状の主板４１ｂと、主板４１ｂの外周部の両面に回転軸Ｏを中心として環状に配置されており各一端が主板４１ｂに固定された多数枚の翼４２ｂと、主板４１ｂの回転軸Ｏ方向両側に配置されており多数枚の翼４２ｂの他端を結ぶ１対の側板４３ｂとを有している。
次に、スクロールケーシング３２ａ〜３２ｄについて説明する。尚、スクロールケーシング３２ａ〜３２ｄはすべて同様の構造であるため、ここでは、スクロールケーシング３２ｂの構成のみを説明し、スクロールケーシング３２ａ、３２ｃ、３２ｄの構成については、スクロールケーシング３２ｂの各部を示す符号ｂの代わりに符号ａ、ｃ、ｄを付して、各部の説明を省略する。
【００４７】
スクロールケーシング３２ｂは、両吸込タイプの遠心送風機を構成するために両側面に形成された２つのスクロール吸入口３４ｂと、スクロール吸入口３４ｂに交差する方向に空気を吹き出すように形成されたスクロール吹出口３５ｂとを有している。ここで、スクロール吸入口３４ｂは、羽根車３１ｂの回転軸Ｏ方向に向かって開口している。このため、ユニット吸入口２ａは、スクロール吸入口３４ｂの開口方向に交差する方向（より具体的には、直交方向）に向かって開口していることになる。また、スクロール吹出口３５ｂは、仕切部材２４の連通開口２５ｂに対応するように配置されている。
【００４８】
より具体的には、スクロールケーシング３２ｂは、本実施形態において、樹脂製の部材であり、羽根車３１ｂを下方から覆うスクロール下部材４５ｂと、羽根車３１ｂを上方から覆うスクロール上部材４４ｂとからなる分割構造を有している。そして、これらの部材４４ｂ、４５ｂを組み付けることによって、２つのスクロール吸入口３４ｂを有し羽根車３１ｂを収容するスクロール本体部３６ｂと、スクロール吹出口３５ｂを有しスクロール本体部３６ｂに連通するスクロール出口部３７ｂとが構成されている。スクロール本体部３６ｂには、各スクロール吸入口３４ｂの周囲を囲む２つのベルマウス部３８ｂが形成されている。ベルマウス部３８ｂは、その内周側の端部が羽根車３１ｂ側に向かってベル形状に湾曲している。スクロール出口部３７ｂは、スクロール本体部３６ｂの仕切部材２４側の部分に連通する角筒形状の部分であり、その先端部が仕切部材２４の平板部２５に形成された連通開口２５ｂに挿入されて、仕切部材２４の平板部２５より熱交換器４側に突出している。スクロール出口部３７ｂは、ユニットケーシング２の平面視において、平板部２５にほぼ直交する方向、すなわち、回転軸Ｏに直交する方向に真っ直ぐに延びており、ユニットケーシング２の側面視において、すこし下方に向けて空気を吹き出すようにやや下方に傾斜している。
【００４９】
尚、羽根車及びスクロールケーシングは、本実施形態において４つあるが、これに限定されるものではなく、１つや２つ、又は４つ以上であってもよい。また、羽根車及びスクロールケーシングは、本実施形態において、両吸込タイプであるが、片吸込タイプであってもよい。
モータ３３は、本実施形態において、ユニットケーシング２の平面視において、スクロールケーシング３２ｂとスクロールケーシング３２ｃとの間（すなわち、スクロールケーシング３２ｂ及びスクロールケーシング３２ｃの回転軸Ｏ方向側）に配置されており、支持部材３３ａを介して仕切部材２４やユニットケーシング２に固定されている。このため、スクロールケーシング３２ｂとスクロールケーシング３２ｃとの間隔のみが、他のスクロールケーシング間の間隔（具体的には、スクロールケーシング３２ａとスクロールケーシング３２ｂとの間隔やスクロールケーシング３２ｃとスクロールケーシング３２ｄとの間隔）に比べて大きくなっている。そして、このモータ３３には、４つの羽根車３１ａ〜３１ｄが全て連結されており、一括して回転駆動できるようになっている。
【００５０】
この遠心送風機３を作動させることによって、ユニット吸入口２ａを介してユニットケーシング２の送風機室Ｓ１内に空気が吸入され、送風機室Ｓ１内に吸入された空気がスクロール吸入口３４ａ〜３４ｄを通じて各スクロールケーシング３２ａ〜３２ｄ内に吸入され、各羽根車３１ａ〜３１ｄの内周側から外周側に吹き出される。この羽根車３１ａ〜３１ｄの外周側に吹き出されて昇圧された空気は、仕切部材２４の各連通開口２５ａ〜２５ｄに対応するように配置されたスクロールケーシング３２ａ〜３２ｄの各スクロール吹出口３５ａ〜３５ｄから熱交換器室Ｓ２内に吹き出されることになる。
【００５１】
＜熱交換器＞
熱交換器４は、熱交換器室Ｓ２内に配置されており、送風機室Ｓ１内で遠心送風機３によって昇圧されてスクロールケーシング３２ａ〜３２ｄのスクロール吹出口３５ａ〜３５ｄから熱交換器室Ｓ２内に吹き出された空気の冷却又は加熱を行うための機器である。熱交換器４は、本実施形態において、クロスフィンチューブタイプの熱交換器であり、仕切部材２４の平板部２５のほぼ全面に対向し、かつ、平行に配置されている。このため、熱交換器４は、スクロール出口部３７ａ〜３７ｄのスクロール吹出口３５ａ〜３５ｄに対向するように配置されていることになる。また、熱交換器４は、その上部がユニット吹出口２ｂ側に傾斜するように配置されている。そして、熱交換器４の下側には、ドレンパン２８が配置されており、熱交換器４で発生した結露水を受けることができるようになっている。
【００５２】
これにより、スクロール吹出口３５ａ〜３５ｄから熱交換器室Ｓ２内に吹き出された空気は、熱交換器４の伝熱管内を流れる冷媒と熱交換を行うことによって冷却又は加熱されて、ユニット吹出口２ｂから室内に吹き出されるようになっている。
以上の構成を備えた空気調和装置１では、壁部６１ａ〜６１ｄがさらに設けられている。以下、これらの壁部６１ａ〜６１ｄについて、図１〜図４を用いて説明する。ここで、図３は、図２の拡大図であって、羽根車３１ｂ及びスクロールケーシング３２ｂ付近の構造を示す図である。図４は、図１の拡大図であって、羽根車３１ｂ及びスクロールケーシング３２ｂ付近の構造を示す図である。
【００５３】
＜壁部＞
壁部６１ａ〜６１ｄは、図２、図３及び図４に示されるように、各スクロール出口部３７ａ〜３７ｄの外側に設けられた仕切部材２４の平板部２５の熱交換器４側に突出する部分である。尚、壁部６１ａ〜６１ｄは、本実施形態において、すべて同様の構造であるため、ここでは、壁部６１ｂの構成のみを説明し、壁部６１ａ、６１ｃ、６１ｄの構成については、壁部６１ｂの各部を示す符号ｂの代わりに符号ａ、ｃ、ｄを付して、各部の説明を省略する。
【００５４】
壁部６１ｂは、本実施形態において、筒状のスクロール出口部３７ｂの外側を囲むように設けられた筒状の部分であり、スクロール出口部３７ｂの両側面部４６、４７の側方にそれぞれ配置された側方壁部６２、６３と、スクロール出口部３７ｂの上面部４８の上方に配置された上方壁部６４と、スクロール出口部３７ｂの下面部４９の下方に配置された下方壁部６６とを有している。そして、壁部６１ｂ（具体的には、側方壁部６２、６３、上方壁部６４及び下方壁部６６）は、その送風機室Ｓ１側の端部が仕切部材２４の平板部２５の連通開口２５ｂの外側の位置に当接しており、そこから熱交換器４側に向かって突出するように延びている。本実施形態の空気調和装置１では、このような壁部６１ｂを設けることによって、スクロール吹出口３５ｂの外側近傍にスクロール吹出口３５ｂから熱交換器室Ｓ２内に吹き出される空気の圧力よりも圧力の低い部分（以下、負圧部Ｓ３とする）が形成される。尚、壁部６１ｂは、本実施形態のように、スクロール吹出口３５ｂの外側の全周に設ける必要はなく、スクロール吹出口３５ｂの外側近傍のうち、負圧部Ｓ３を形成しようとする部分のみに設けられていてもよい。例えば、スクロール吹出口３５ｂの側方にのみ負圧部Ｓ３を形成しようとする場合には、上方壁部６４及び下方壁部６６を設けずに、側方壁部６２、６３のみを設けるようにすればよい。
【００５５】
また、本実施形態において、スクロール出口部３７ｂと平板部２５の熱交換器４側の面とが交わる部分と、壁部６１ｂと平板部２５の熱交換器４側の面とが交わる部分との距離ｃは、羽根車３１ｂのロータ幅Ｗの０．５倍以下である。より具体的には、スクロール出口部３７ｂの側面部４６の外面（すなわち、壁部６１ｂの側方壁部６２側の面）と平板部２５の熱交換器４側の面とが交わる部分と、壁部６１ｂの側方壁部６２の内面（すなわち、スクロール出口部３７ｂの側面部４６の側の面）と平板部２５の熱交換器４側の面とが交わる部分との距離ｃ、スクロール出口部３７ｂの側面部４７の外面（すなわち、壁部６１ｂの側方壁部６３側の面）と平板部２５の熱交換器４側の面とが交わる部分と、壁部６１ｂの側方壁部６３の内面（すなわち、スクロール出口部３７ｂの側面部４７側の面）と平板部２５の熱交換器４側の面とが交わる部分との距離ｃ、スクロール出口部３７ｂの上面部４８の外面（すなわち、壁部６１ｂの上方壁部６４側の面）と平板部２５の熱交換器４側の面とが交わる部分と、壁部６１ｂの上方壁部６４の内面（すなわち、スクロール出口部３７ｂの上面部４８の側の面）と平板部２５の熱交換器４側の面とが交わる部分との距離ｃ、及び、スクロール出口部３７ｂの下面部４９の外面（すなわち、壁部６１ｂの下方壁部６５側の面）と平板部２５の熱交換器４側の面とが交わる部分と、壁部６１ｂの下方壁部６５の内面（すなわち、スクロール出口部３７ｂの下面部４９の側の面）と平板部２５の熱交換器４側の面とが交わる部分との距離ｃは、羽根車３１ｂのロータ幅Ｗの０．５倍以下である。本実施形態の空気調和装置１では、距離ｃをロータ幅Ｗの０．５倍以下にすることによって、スクロール吹出口３５ｂの外側近傍に負圧部Ｓ３を確実に形成させることができる。尚、壁部６１ｂが平板部２５に当接していない場合には、壁部６１ｂの平板部２５側の端部を延長した際に平板部２５の熱交換器４側の面とが交わる部分が、壁部６１ｂと平板部２５の熱交換器４側の面とが交わる部分に該当することになる。
【００５６】
また、本実施形態において、平板部２５の熱交換器４側の面からスクロール出口部３７ｂの熱交換器４側の端部までの距離ａは、０より大きく、羽根車３１ｂのロータ径Ｄの０．３倍以下である。より具体的には、平板部２５の熱交換器４側の面からスクロール出口部３７ｂの両側面部４６、４７の熱交換器４側の端部までの距離ａ、平板部２５の熱交換器４側の面からスクロール出口部３７ｂの上面部４８の熱交換器４側の端部までの距離ａ、及び、平板部２５の熱交換器４側の面からスクロール出口部３７ｂの下面部４９の熱交換器４側の端部までの距離ａは、０より大きく、羽根車３１ｂのロータ径Ｄの０．３倍以下である。本実施形態の空気調和装置１では、距離ａを０より大きくする、すなわち、スクロール出口部３７ｂの熱交換器４側の端部を熱交換器室Ｓ２側に突出させることによって、スクロール吹出口３５ｂの外側近傍にスクロール出口部３７ｂの熱交換器４側の端部と壁部６１ｂとに挟まれた空間からなる負圧部Ｓ３を形成することができる。
【００５７】
また、本実施形態において、平板部２５の熱交換器４側の面から壁部６１ｂの熱交換器４側の端部までの距離ｂは、距離ａ以上であり、羽根車３１ｂのロータ径Ｄの０．５倍以下である。より具体的には、平板部２５の熱交換器４側の面から壁部６１ｂの側方壁部６２、６３の熱交換器４側の端部までの距離ｂ、平板部２５の熱交換器４側の面から壁部６１ｂの上方壁部６４の熱交換器４側の端部までの距離ｂ、及び、平板部２５の熱交換器４側の面から壁部６１ｂの下方壁部６４の熱交換器４側の端部までの距離ｂは、距離ａ以上であり、羽根車３１ｂのロータ径Ｄの０．５倍以下である。本実施形態の空気調和装置１では、距離ｂを距離ａ以上、すなわち、壁部６１ｂの端部をスクロール出口部３７ｂの熱交換器４側の端部よりも熱交換器４側に突出させることによって、スクロール出口部３７ｂの熱交換器４側の端部と壁部６１ｂとに挟まれた空間からなる負圧部Ｓ３の圧力とスクロール吹出口３５ｂから熱交換器室Ｓ２内に吹き出される空気の圧力との圧力差を大きくすることができる。
【００５８】
また、本実施形態において、壁部６１ｂと平板部２５の熱交換器４側の面とがなす角度θは、３０°より大きく、９０°以下である。より具体的には、壁部６１ｂの側方壁部６２、６３の内面（すなわち、スクロール出口部３７ｂの側面部４６、４７側の面）と、平板部２５の熱交換器４側の面であって壁部６１ｂの側方壁部６２、６３の外側の部分とがなす角度θ、壁部６１ｂの上方壁部６４の内面（すなわち、スクロール出口部３７ｂの上面部４８の側の面）と、平板部２５の熱交換器４側の面であって壁部６１ｂの上方壁部６４の外側の部分とがなす角度θ、及び、壁部６１ｂの下方壁部６５の内面（すなわち、スクロール出口部３７ｂの下面部４９の側の面）と、平板部２５の熱交換器４側の面であって壁部６１ｂの下方壁部６５の外側の部分とがなす角度θは、３０°より大きく、９０°以下である。本実施形態の空気調和装置１では、壁部６１ｂと平板部２５の熱交換器４側の面とがなす角度を３０°より大きくすることによって、スクロール吹出口３５ｂの外側近傍に負圧部Ｓ３を確実に形成させることができる。
【００５９】
（２）空気調和装置の動作
次に、本実施形態の空気調和装置１の動作について、図１〜図４を用いて説明する。
モータ３３を起動して遠心送風機３を作動させることによって、ユニット吸入口２ａを介してユニットケーシング２の送風機室Ｓ１内に空気が吸入され、送風機室Ｓ１内に吸入された空気がスクロール吸入口３４ａ〜３４ｄを通じて各スクロールケーシング３２ａ〜３２ｄ内に吸入され、羽根車３１ａ〜３１ｄの内周側から外周側に吹き出される。この羽根車３１ａ〜３１ｄの外周側に吹き出されて昇圧された空気は、仕切部材２４の連通開口２５ａ〜２５ｄに対応するように配置されたスクロール吹出口３５ａ〜３５ｄから熱交換器室Ｓ２内に吹き出される。そして、スクロール吹出口３５ａ〜３５ｄから熱交換器室Ｓ２内に吹き出された空気は、熱交換器４の伝熱管内を流れる冷媒と熱交換を行うことによって冷却又は加熱されて、ユニット吹出口２ｂから室内に吹き出される。
【００６０】
ここで、本実施形態の空気調和装置１では、スクロール出口部３７ａ〜３７ｄの外側に平板部２５の熱交換器４側に突出する壁部６１ａ〜６１ｄが設けられているため、スクロール吹出口３５ａ〜３５ｄの外側近傍にスクロール吹出口３５ａ〜３５ｄから熱交換器室Ｓ２内に吹き出される空気の圧力よりも圧力の低い負圧部Ｓ３が形成される。そして、スクロール吹出口３５ａ〜３５ｄから熱交換器室Ｓ２内に吹き出される空気（図３及び図４の矢印Ｆ参照）は、この負圧部Ｓ３に引き込まれるように流れるようになるため、スクロール出口部に壁部が設けられていない場合（スクロール出口部に壁部が設けられていない場合の空気の流れを示す矢印ｆ参照）に比べて、スクロール吹出口３５ａ〜３５ｄの外側へ拡散される。これにより、送風能力の低下を抑えつつ、熱交換器４を通過する空気の偏流を抑えることができるようになっている。
【００６１】
また、本実施形態の空気調和装置１では、距離ｃを羽根車３１ａ〜３１ｄのロータ幅Ｗの０．５倍以下にすることによって、スクロール吹出口３５ａ〜３５ｄの外側近傍に負圧部Ｓ３を確実に形成させることができるようになっている。
また、本実施形態の空気調和装置１では、距離ａを０より大きくする、すなわち、スクロール出口部３７ａ〜３７ｄの熱交換器４側の端部を熱交換器室Ｓ２側に突出させることによって、スクロール吹出口３５ａ〜３５ｄから熱交換器室Ｓ２内に吹き出される空気をスクロール吹出口３５ａ〜３５ｄの外側へ拡散させる効果の大きい、スクロール吹出口３５ａ〜３５ｄの外側近傍にスクロール出口部３７ａ〜３７ｄの熱交換器４側の端部と壁部６１ａ〜６１ｄとに挟まれた空間からなる負圧部Ｓ３を形成することができるようになっている。しかも、距離ａを羽根車３１ａ〜３１ｄのロータ径Ｄの０．３倍以下にすることによって、スクロール吹出口３５ａ〜３５ｄと熱交換器４との間に、スクロール吹出口３５ａ〜３５ｄから熱交換器室Ｓ２内に吹き出される空気がスクロール吹出口３５ａ〜３５ｄの外側に拡散するのに十分な距離を確保することができるようになっている。
【００６２】
また、本実施形態の空気調和装置１では、距離ｂを距離ａ以上、すなわち、壁部６１ａ〜６１ｄの端部をスクロール出口部３７ａ〜３７ｄの熱交換器４側の端部よりも熱交換器４側に突出させることによって、スクロール出口部３７ａ〜３７ｄの熱交換器４側の端部と壁部６１ａ〜６１ｄとに挟まれた空間からなる負圧部Ｓ３の圧力とスクロール吹出口３５ａ〜３５ｄから熱交換器室Ｓ２内に吹き出される空気の圧力との圧力差を大きくすることができるため、スクロール吹出口３５ａ〜３５ｄから熱交換器室Ｓ２内に吹き出される空気をスクロール吹出口３５ａ〜３５ｄの外側へ拡散させる効果を高めることができるようになっている。しかも、距離ｂを羽根車３１ａ〜３１ｄのロータ径Ｄの０．５倍以下にすることによって、負圧部Ｓ３によってスクロール吹出口３５ａ〜３５ｄの外側に向かって拡散しようとする空気の流れを壁部６１ａ〜６１ｄによって極力制限しないようにすることができるため、スクロール吹出口３５ａ〜３５ｄから熱交換器室Ｓ２内に吹き出される空気を壁部６１ａ〜６１ｄの外側までさらに拡散させることができるようになっている。
【００６３】
また、本実施形態の空気調和装置１では、角度θを３０°より大きくすることによって、スクロール吹出口３５ａ〜３５ｄの外側近傍に負圧部Ｓ３を確実に形成させることができる。しかも、角度θを９０°以下にすることによって、スクロール吹出口３５ａ〜３５ｄから熱交換器室Ｓ２内に吹き出される空気がスクロール吹出口３５ａ〜３５ｄの外側へ確実に拡散されるようにできるようになっている。
【００６４】
このように、本実施形態の空気調和装置１では、熱交換器４が仕切部材２４の平板部２５のほぼ全面に対向しているのに対して、平板部２５の連通開口２５ａ〜２５ｄ、すなわち、スクロールケーシング３２ａ〜３２ｄのスクロール吹出口３５ａ〜３５ｄが仕切部材２４の平板部２５に部分的に設けられているだけであるが、上述のような壁部６１ａ〜６１ｄを設けることによって、スクロール出口部３７ａ〜３７ｄのサイズを大きくすることなく、スクロール吹出口３５ａ〜３５ｄから熱交換器室Ｓ２内に吹き出される空気を、スクロール吹出口３５ａ〜３５ｄの外側に拡散させて熱交換器４を通過させることができて、熱交換器４を通過する空気に偏流を抑えることができるようになっている。
【００６５】
しかも、壁部６１ａ〜６１ｄは、仕切部材２４の平板部２５の熱交換器室Ｓ２側に設けられているため、スクロール吸入口３４ａ〜３４ｄの邪魔になったり、スクロール出口部３７ａ〜３７ｄにおける動圧回収がされにくくなるというような問題も生じることもなく、さらに、送風機室Ｓ１内のスペースに余裕がない場合やユニットケーシング２をコンパクトにしなければならない場合において、熱交換器４を通過する空気に偏流を抑える手段として効果的である。
【００６６】
（３）変形例１
また、壁部６１ａ〜６１ｄの熱交換器４側の端部に、セレーションを設けるようにしてもよい。壁部６１ｂを例にして説明すると、図５に示されるように、壁部６１ｂの熱交換器４側の端部に三角波形状等のセレーション７１を設けることが可能である（図５では、セレーション７１が側方壁部６２に設けられた図面が示されているが、他の壁部６３〜６５に同様のセレーション７１を設けてもよい）。
【００６７】
このように、壁部６１ａ〜６１ｄの熱交換器４側の端部にセレーション７１を設けることによって、壁部６１ａ〜６１ｄの熱交換器４側の端部におけるスクロール吹出口３５ａ〜３５ｄから熱交換器室Ｓ２内に吹き出される空気の圧力変動を抑えることができる。これにより、壁部６１ａ〜６１ｄの熱交換器４側の端部における圧力変動による騒音の発生を抑えることができる。
【００６８】
（４）変形例２
また、壁部６１ａ〜６１ｄの内面、すなわち、スクロール出口部３７ａ〜３７ｄ側の面に、複数のディンプルを設けるようにしてもよい。壁部６１ｂを例にして説明すると、図６に示されるように、壁部６１ｂの内面、すなわち、スクロール出口部３７ｂ側の面に複数のディンプル７２を設けることが可能である（図６では、複数のディンプル７２が側方壁部６２に設けられた図面が示されているが、他の壁部６３〜６５に同様の複数のディンプル７２を設けてもよい）。
【００６９】
このように、壁部６１ａ〜６１ｄの内面、すなわち、スクロール出口部３７ａ〜３７ｄ側の面に、複数のディンプル７２を設けることによって、スクロール吹出口３５ａ〜３５ｄから熱交換器室Ｓ２内に吹き出される空気を、壁部６１ａ〜６１ｄのスクロール出口部３７ａ〜３７ｄ側の面に沿わせることができる。これにより、スクロール吹出口３５ａ〜３５ｄから熱交換器室Ｓ２内に吹き出される空気をスクロール吹出口３５ａ〜３５ｄの外側へ拡散させる効果を高めることができる。
【００７０】
また、壁部６１ａ〜６１ｄの内面、すなわち、スクロール出口部３７ａ〜３７ｄ側の面に複数のディンプルを設ける場合と同様な効果を得るために、壁部６１ａ〜６１ｄに、複数の貫通孔７３を設けるようにしてもよい。壁部６１ｂを例にして説明すると、図７に示されるように、壁部６１ｂに複数の貫通孔７３を設けることが可能である（図７では、複数の貫通孔７３が側方壁部６２に設けられた図面が示されているが、他の壁部６３〜６５に同様の複数の貫通孔７３を設けてもよい）。
【００７１】
（５）変形例３
また、変形例１にかかるセレーションと、変形例２にかかる複数のディンプル又は貫通孔とを同時に、壁部６１ａ〜６１ｄに設けるようにしてもよい。壁部６１ｂを例にして説明すると、図８に示されるように、壁部６１ｂの熱交換器４側の端部に三角波形状等のセレーション７１を設けるとともに、壁部６１ｂの内面、すなわち、スクロール出口部３７ｂ側の面に複数のディンプル７２を設けることが可能である（図８では、セレーション７１が側方壁部６２に設けられ、そして、複数のディンプル７２が側方壁部６２に設けられた図面が示されているが、他の壁部６３〜６５に同様のセレーション７１及び複数のディンプル７２を設けてもよい。また、複数のディンプル７２の代わりに、複数の貫通孔を設けてもよい）。
これにより、変形例１及び変形例２の両方の効果を得ることができる。
【００７２】
（６）変形例４
また、上述の第１実施形態（変形例１〜３を含む）の空気調和装置１は、羽根車３１ａ〜３１ｄが仕切部材２４の平板部２５に沿う回転軸Ｏを中心として回転するように配置されており、羽根車３１ａ〜３１ｄを回転駆動するモータ３３が送風機室Ｓ１内のスクロールケーシング３２ａ〜３２ｄの回転軸Ｏ方向側に配置されている。
【００７３】
このため、スクロールケーシング３２ａ〜３２ｄのスクロール吹出口３５ａ〜３５ｄから熱交換器室Ｓ２内に吹き出される空気が、主として熱交換器４のうち平板部２５を挟んでスクロールケーシング３２ａ〜３２ｄに対向する部分を通過してしまい、熱交換器４のうち平板部２５を挟んでモータ３３に対向する部分（具体的には、スクロールケーシング３２ｂとスクロールケーシング３２ｃとの間の部分）を通過しにくくなってしまうため、熱交換器４を通過する空気に偏流が生じて、熱交換器４における通風抵抗が増加したり、送風能力及び熱交換能力が低下するという問題が生じやすくなっている。
【００７４】
これに対して、本変形例の空気調和装置１では、図９に示されるように、スクロールケーシング３２ｂ、３２ｃのスクロール出口部３７ｂ、３７ｃが、回転軸Ｏ方向のサイズＬを大きくすることなく、モータ３３側に傾斜しながら連通開口２５ｂ、２５ｃに向かって延びているため、熱交換器室Ｓ２内に吹き出される空気が、熱交換器４のうち平板部２５を挟んでモータ３３に対向する部分をさらに通過しやすくなり、熱交換器４を通過する空気の偏流を抑えることができる。しかも、スクロール出口部３７ｂ、３７ｃの回転軸Ｏ方向のサイズＬを大きくしないようにしているため、スクロール出口部３７ｂ、３７ｃにおける動圧回収がされにくくなる等の不具合も生じにくく、送風性能の低下を抑えることができる。
【００７５】
＜第２実施形態＞
（１）空気調和装置の基本構造
図１０及び図１１に、本発明にかかる空気調和装置の第２実施形態としてのダクトタイプの空気調和装置１０１を示す。ここで、図１０は、空気調和装置１０１の側面図（図１１のＡ矢視図）である。図１１は、空気調和装置１０１の平面断面図である。この空気調和装置１０１は、空調室の天井裏の空間に配置されたダクト構造のものである。この空気調和装置１０１は、室外に配置される室外ユニット（図示せず）に冷媒連絡配管（図示せず）を介して接続されている。
空気調和装置１０１は、主として、ユニットケーシング１０２と、遠心送風機１０３と、熱交換器１０４とを備えている。
【００７６】
＜ユニットケーシング＞
ユニットケーシング２は、全体として側方に長い薄型箱形状の部材であり、その下面１０２ａ及び背面１０２ｂ（図１１の紙面上側の面）にユニット吸入口１０２ｇ、１０２ｈを有し遠心送風機１０３が配置される送風機室Ｓ１０１と、前面１０２ｃ（図１１の紙面下側の面）にユニット吹出口１０２ｉを有し熱交換器１０４が配置される熱交換器室Ｓ１０２とが形成されている。尚、ユニット吸入口１０２ｇ、１０２ｈは、天井裏の空間における設置条件に応じて、いずれか一方を選択して用いることができるようになっている。送風機室Ｓ１０１及び熱交換器室Ｓ１０２は、側方に長く縦向きにユニットケーシング１０２内に配置された板状の部材からなる仕切部材１２４によって、ユニットケーシング１０２内の空間を前後に仕切られることによって形成されている。より具体的には、仕切部材１２４は、本実施形態において、ユニットケーシング１０２の前面及び背面に平行（すなわち、ユニットケーシング１０２の側面に直交）する平板部１２５を有している。そして、この平板部１２５には、遠心送風機１０３を構成する２つのスクロールケーシング１３２ａ、１３２ｂの各スクロール吹出口１３５ａ、１３５ｂ（後述）に対応しており、送風機室Ｓ１０１と熱交換器室Ｓ１０２とを連通する２つの連通開口１２５ａ、１２５ｂが形成されている。２つの連通開口１２５ａ、１２５ｂは、平板部１２５の長手方向に並んで配置されており、本実施形態において、横長の長方形状の角孔である。
【００７７】
＜遠心送風機＞
遠心送風機１０３は、送風機室Ｓ１０１内に配置されており、ユニット吸入口１０２ｇ又はユニット吸入口１０２ｈから送風機室Ｓ１０１内に空気を吸入して昇圧し、仕切部材１２４の連通開口１２５ａ、１２５ｂを通じて熱交換器室Ｓ１０２に吹き出すための機器である。そして、遠心送風機１０３は、主として、２つの羽根車１３１ａ、１３１ｂと、各羽根車１３１ａ、１３１ｂを収容する２つのスクロールケーシング１３２ａ、１３２ｂと、羽根車１３１ａ、１３１ｂを回転駆動するモータ１３３とを有している。
【００７８】
まず、羽根車１３１ａ、１３１ｂについて、図１０及び図１１を用いて説明する。羽根車１３１ａ、１３１ｂは、本実施形態においては、両吸込タイプのシロッコファンロータであり、その回転軸Ｏがユニットケーシング１０２の側方を向くように（すなわち、仕切部材１２４の平板部１２５に沿うように）並んで配置されている。尚、羽根車１３１ａと羽根車１３１ｂとは同様の構造であるため、ここでは、羽根車１３１ａの構成のみを説明し、羽根車１３１ｂの構成については、羽根車１３１ａの各部を示す符号ａの代わりに符号ｂを付して、各部の説明を省略する。
【００７９】
羽根車１３１ａは、主として、回転軸Ｏを中心として回転する円板状の主板１４１ａと、主板１４１ａの外周部の両面に回転軸Ｏを中心として環状に配置されており各一端が主板１４１ａに固定された多数枚の翼１４２ａと、主板１４１ａの回転軸Ｏ方向両側に配置されており多数枚の翼１４２ａの他端を結ぶ１対の側板１４３ａとを有している。
次に、スクロールケーシング１３２ａ、１３２ｂについて説明する。尚、スクロールケーシング１３２ａとスクロールケーシング１３２ｂとは同様の構造であるため、ここでは、スクロールケーシング１３２ａの構成のみを説明し、スクロールケーシング１３２ｂの構成については、スクロールケーシング１３２ａの各部を示す符号ａの代わりに符号ｂを付して、各部の説明を省略する。
【００８０】
スクロールケーシング１３２ａは、両吸込タイプの遠心送風機を構成するために両側面に形成された２つのスクロール吸入口１３４ａと、スクロール吸入口１３４ａに交差する方向に空気を吹き出すように形成されたスクロール吹出口１３５ａとを有している。ここで、スクロール吸入口１３４ａは、羽根車１３１ａの回転軸Ｏ方向に向かって開口している。このため、ユニット吸入口１０２ｇ及びユニット吸入口１０２ｈは、スクロール吸入口１３４ａの開口方向に交差する方向（より具体的には、直交方向）に向かって開口していることになる。また、スクロール吹出口１３５ａは、仕切部材１２４の連通開口１２５ａに対応するように配置されている。
【００８１】
より具体的には、スクロールケーシング１３２ａは、本実施形態において、樹脂製の部材であり、羽根車１３１ａを下方から覆うスクロール下部材１４５ａと、羽根車１３１ａを上方から覆うスクロール上部材１４４ａとからなる分割構造を有している。そして、これらの部材１４４ａ、１４５ａを組み付けることによって、２つのスクロール吸入口１３４ａを有し羽根車１３１ａを収容するスクロール本体部１３６ａと、スクロール吹出口１３５ａを有しスクロール本体部１３６ａに連通するスクロール出口部１３７ａとが構成されている。スクロール本体部１３６ａには、各スクロール吸入口１３４ａの周囲を囲む２つのベルマウス部１３８ａが形成されている。ベルマウス部１３８ａは、その内周側の端部が羽根車１３１ａ側に向かってベル形状に湾曲している。スクロール出口部１３７ａは、スクロール本体部１３６ａの仕切部材１２４側の部分に連通する角筒形状の部分であり、その先端部が仕切部材１２４の平板部１２５に形成された連通開口１２５ｂに挿入されて、仕切部材１２４の平板部１２５より熱交換器１０４側に突出している。スクロール出口部１３７ａは、ユニットケーシング１０２の平面視において、平板部１２５にほぼ直交する方向、すなわち、回転軸Ｏに直交する方向に真っ直ぐに延びており、ユニットケーシング１０２の側面視において、すこし下方に向けて空気を吹き出すようにやや下方に傾斜している。
【００８２】
モータ１３３は、本実施形態において、ユニットケーシング１０２の平面視において、スクロールケーシング１３２ａとスクロールケーシング１３２ｂとの間（すなわち、スクロールケーシング１３２ａ及びスクロールケーシング１３２ｂの回転軸Ｏ方向側）に配置されており、支持部材１３３ａを介して仕切部材１２４やユニットケーシング１０２に固定されている。このため、スクロールケーシング１３２ａとスクロールケーシング１３２ｂとの間には、モータ１３３のサイズに応じた隙間が形成された状態になっている。そして、このモータ１３３には、２つの羽根車１３１ａ、１３１ｂの両方が連結されており、一括して回転駆動できるようになっている。
【００８３】
この遠心送風機１０３を作動させることによって、ユニット吸入口１０２ｇ又はユニット吸入口１０２ｈを介してユニットケーシング１０２の送風機室Ｓ１０１内に空気が吸入され、送風機室Ｓ１０１内に吸入された空気がスクロール吸入口１３４ａ、１３４ｂを通じて各スクロールケーシング１３２ａ、１３２ｂ内に吸入され、各羽根車１３１ａ、１３１ｂの内周側から外周側に吹き出される。この羽根車１３１ａ、１３１ｂの外周側に吹き出されて昇圧された空気は、仕切部材１２４の各連通開口１２５ａ、１２５ｂに対応するように配置されたスクロールケーシング１３２ａ、１３２ｂの各スクロール吹出口１３５ａ、１３５ｂから熱交換器室Ｓ１０２内に吹き出されることになる。
【００８４】
＜熱交換器＞
熱交換器１０４は、熱交換器室Ｓ１０２内に配置されており、送風機室Ｓ１０１内で遠心送風機１０３によって昇圧されてスクロールケーシング１３２ａ、１３２ｂのスクロール吹出口１３５ａ、１３５ｂから熱交換器室Ｓ１０２内に吹き出された空気の冷却又は加熱を行うための機器である。熱交換器１０４は、本実施形態において、クロスフィンチューブタイプの熱交換器であり、仕切部材１２４の平板部１２５のほぼ全面に対向し、かつ、平行に配置されている。このため、熱交換器１０４は、スクロール出口部１３７ａ、１３７ｂのスクロール吹出口１３５ａ、１３５ｂに対向するように配置されていることになる。また、熱交換器１０４は、その上部がユニット吹出口１０２ｉ側に傾斜するように配置されている。そして、熱交換器１０４の下側には、ドレンパン１２８が配置されており、熱交換器１０４で発生した結露水を受けることができるようになっている。
【００８５】
これにより、スクロール吹出口１３５ａ、１３５ｂから熱交換器室Ｓ１０２内に吹き出された空気は、熱交換器１０４の伝熱管内を流れる冷媒と熱交換を行うことによって冷却又は加熱されて、ユニット吹出口１０２ｉから室内に吹き出されるようになっている。
以上の構成を備えた空気調和装置１０１では、壁部１６１ａ、１６１ｂがさらに設けられている。以下、これらの壁部１６１ａ、１６１ｂについて、図１０〜図１２を用いて説明する。ここで、図１２は、図１１の拡大図であって、羽根車１３１ａ及びスクロールケーシング１３２ａ付近の構造を示す図である。
【００８６】
＜壁部＞
壁部１６１ａ、１６１ｂは、図１１及び図１２に示されるように、各スクロール出口部１３７ａ、１３７ｂの外側に設けられた仕切部材１２４の平板部１２５の熱交換器１０４側に突出する部分である。尚、壁部１６１ａと壁部１６１ｂとは、本実施形態において、同様の構造であるため、ここでは、壁部１６１ａの構成を主に説明し、壁部１６１ｂの構成については、壁部１６１ａの各部を示す符号ａの代わりに符号ｂを付して、各部の説明を省略する。
【００８７】
壁部１６１ａは、本実施形態において、筒状のスクロール出口部１３７ａの側面部１４６の側方に配置されている。そして、壁部１６１ａは、その送風機室Ｓ１０１側の端部が仕切部材１２４の平板部１２５の連通開口１２５ｂの外側の位置に当接しており、そこから熱交換器１０４側に向かって突出するように延びている。
本実施形態の空気調和装置１０１では、このような壁部１６１ａを設けることによって、スクロール吹出口１３５ａの外側近傍にスクロール吹出口１３５ａから熱交換器室Ｓ１０２内に吹き出される空気の圧力よりも圧力の低い部分（以下、負圧部Ｓ１０３とする）が形成される。
【００８８】
具体的には、壁部１６１ａは、スクロール出口部１３７ａの側面部１４６の側方の位置、すなわち、スクロール出口部１３７ａの回転軸Ｏ方向の外側に配置されており、熱交換器室Ｓ１０２内において、スクロール吹出口１３５ａの回転軸Ｏ方向の外側近傍に負圧部Ｓ１０３が形成される。しかも、壁部１６１ａは、スクロール出口部１３７ａの外側のうち、隣り合うスクロールケーシングであるスクロールケーシング１３２ｂ側に配置されているため、熱交換器室Ｓ１０２内において、スクロール吹出口１３５ａのスクロールケーシング１３２ｂ側に負圧部Ｓ１０３が形成されるようになっている。また、壁部１６１ａは、スクロール出口部１３７ａの外側のうち、モータ１３３側に配置されているため、熱交換器室Ｓ１０２内において、スクロール吹出口１３５ａのモータ１３３側に負圧部Ｓ１０３が形成されるようになっている。
【００８９】
また、本実施形態において、スクロール出口部１３７ａと平板部１２５の熱交換器１０４側の面とが交わる部分と、壁部１６１ａと平板部１２５の熱交換器１０４側の面とが交わる部分との距離ｃは、羽根車１３１ｂのロータ幅Ｗの０．５倍以下である。より具体的には、スクロール出口部１３７ａの側面部１４６の外面（すなわち、壁部１６１ａ側の面）と平板部１２５の熱交換器１０４側の面とが交わる部分と、壁部１６１ａの内面（すなわち、スクロール出口部１３７ａの側面部１４６側の面）と平板部１２５の熱交換器１０４側の面とが交わる部分との距離ｃは、羽根車１３１ａのロータ幅Ｗの０．５倍以下である。本実施形態の空気調和装置１０１では、距離ｃをロータ幅Ｗの０．５倍以下にすることによって、スクロール吹出口１３５ａの外側近傍に負圧部Ｓ１０３を確実に形成させることができる。尚、壁部１６１ａが平板部１２５に当接していない場合には、壁部１６１ａの平板部１２５側の端部を延長した際に平板部１２５の熱交換器１０４側の面とが交わる部分が、壁部１６１ａと平板部１２５の熱交換器１０４側の面とが交わる部分に該当することになる。
【００９０】
また、本実施形態において、平板部１２５の熱交換器１０４側の面からスクロール出口部１３７ａの熱交換器１０４側の端部までの距離ａは、０より大きく、羽根車１３１ａのロータ径Ｄの０．３倍以下である。より具体的には、平板部１２５の熱交換器１０４側の面からスクロール出口部１３７ａの側面部１４６の熱交換器１０４側の端部までの距離ａは、０より大きく、羽根車１３１ａのロータ径Ｄの０．３倍以下である。本実施形態の空気調和装置１０１では、距離ａを０より大きくする、すなわち、スクロール出口部１３７ａの熱交換器１０４側の端部を熱交換器室Ｓ２側に突出させることによって、スクロール吹出口１３５ａの外側近傍にスクロール出口部１３７ａの熱交換器１０４側の端部と壁部１６１ａとに挟まれた空間からなる負圧部Ｓ１０３を形成することができる。
【００９１】
また、本実施形態において、平板部１２５の熱交換器１０４側の面から壁部１６１ａの熱交換器１０４側の端部までの距離ｂは、距離ａ以上であり、羽根車１３１ａのロータ径Ｄの０．５倍以下である。より具体的には、平板部１２５の熱交換器１０４側の面から壁部１６１ａの熱交換器１０４側の端部までの距離ｂは、距離ａ以上であり、羽根車１３１ａのロータ径Ｄの０．５倍以下である。本実施形態の空気調和装置１では、距離ｂを距離ａ以上、すなわち、壁部１６１ａの端部をスクロール出口部１３７ａの熱交換器１０４側の端部よりも熱交換器１０４側に突出させることによって、スクロール出口部１３７ａの熱交換器１０４側の端部と壁部１６１ａとに挟まれた空間からなる負圧部Ｓ１０３の圧力とスクロール吹出口１３５ａから熱交換器室Ｓ１０２内に吹き出される空気の圧力との圧力差を大きくすることができる。
【００９２】
また、本実施形態において、壁部１６１ａと平板部１２５の熱交換器１０４側の面とがなす角度θは、３０°より大きく、９０°以下である。より具体的には、壁部１６１ａの内面（すなわち、スクロール出口部１３７ａの側面部１４６側の面）と、平板部１２５の熱交換器１０４側の面であって壁部１６１ａの外側の部分とがなす角度θは、３０°より大きく、９０°以下である。本実施形態の空気調和装置１０１では、壁部１６１ａと平板部１２５の熱交換器１０４側の面とがなす角度を３０°より大きくすることによって、スクロール吹出口１３５ａの外側近傍に負圧部Ｓ１０３を確実に形成させることができる。しかも、壁部１６１ａと平板部１２５の熱交換器４側の面とがなす角度を９０°以下にすることによって、スクロール吹出口１３５ａから熱交換器室Ｓ１０２内に吹き出される空気がスクロール吹出口１３５ａの外側へ確実に拡散されるようにできる。
【００９３】
（２）空気調和装置の動作
次に、本実施形態の空気調和装置１０１の動作について、図１０〜図１２を用いて説明する。
モータ１３３を起動して遠心送風機１０３を作動させることによって、ユニット吸入口１０２ｇ又はユニット吸入口１０２ｈを介してユニットケーシング１０２の送風機室Ｓ１０１内に空気が吸入され、送風機室Ｓ１０１内に吸入された空気がスクロール吸入口１３４ａ、１３４ｂを通じて各スクロールケーシング１３２ａ、１３２ｂ内に吸入され、羽根車１３１ａ、１３１ｂの内周側から外周側に吹き出される。この羽根車１３１ａ、１３１ｂの外周側に吹き出されて昇圧された空気は、仕切部材１２４の連通開口１２５ａ、１２５ｂに対応するように配置されたスクロール吹出口１３５ａ、１３５ｂから熱交換器室Ｓ１０２内に吹き出される。そして、スクロール吹出口１３５ａ、１３５ｂから熱交換器室Ｓ１０２内に吹き出された空気は、熱交換器１０４の伝熱管内を流れる冷媒と熱交換を行うことによって冷却又は加熱されて、ユニット吹出口１０２ｉから室内に吹き出される。
【００９４】
ここで、本実施形態の空気調和装置１０１では、スクロール出口部１３７ａ、１３７ｂの外側に平板部１２５の熱交換器１０４側に突出する壁部１６１ａ、１６１ｂが設けられているため、スクロール吹出口１３５ａ、１３５ｂの外側近傍にスクロール吹出口１３５ａ、１３５ｂから熱交換器室Ｓ１０２内に吹き出される空気の圧力よりも圧力の低い負圧部Ｓ１０３が形成される。そして、スクロール吹出口１３５ａ、１３５ｂから熱交換器室Ｓ１０２内に吹き出される空気（図１２の矢印Ｆ参照）は、この負圧部Ｓ１０３に引き込まれるように流れるようになるため、スクロール出口部に壁部が設けられていない場合（スクロール出口部に壁部が設けられていない場合の空気の流れを示す矢印ｆ参照）に比べて、スクロール吹出口１３５ａ、１３５ｂの外側へ拡散される。具体的には、壁部１６１ａ、１６１ｂは、スクロール出口部１３７ａ、１３７ｂの回転軸Ｏ方向の外側にそれぞれ配置されており、熱交換器室Ｓ１０２内において、スクロール吹出口１３５ａ、１３５ｂの回転軸Ｏ方向の外側近傍に負圧部Ｓ１０３が形成されることとなる。このため、本実施形態の空気調和装置１０１のように、羽根車１３１ａ、１３１ｂが仕切部材１２４の平板部１２５に沿う回転軸Ｏを中心として回転するように配置されている場合には、この回転軸Ｏに交わる方向に開口するスクロール出口部１３７ａ、１３７ｂから熱交換器室Ｓ１０２に吹き出される空気が、回転軸Ｏに沿う方向には拡散されにくい傾向が強いが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａ、１３５ｂの回転軸Ｏ方向の外側へ拡散されやすくなる。これにより、送風能力の低下を抑えつつ、熱交換器１０４を通過する空気の偏流を抑えることができるようになる。
【００９５】
しかも、壁部１６１ａはスクロール出口部１３７ａの外側のうち隣り合うスクロールケーシングであるスクロールケーシング１３２ｂ側に配置され、かつ、壁部１６１ｂはスクロール出口部１３７ｂの外側のうち隣り合うスクロールケーシングであるスクロールケーシング１３２ａ側に配置されているため、熱交換器室Ｓ１０２内において、スクロール吹出口１３５ａのスクロールケーシング１３２ｂ側及びスクロール吹出口１３５ｂのスクロールケーシング１３２ａ側に、負圧部Ｓ１０３が形成されることとなる。このため、本実施形態の空気調和装置１０１のように、羽根車１３１ａ、１３１ｂが仕切部材１２４の平板部１２５に沿う回転軸Ｏを中心として回転するように、かつ、羽根車１３１ａ、１３１ｂ及びスクロールケーシング１３２ａ、１３２ｂが回転軸Ｏ方向に複数並んで配置されている場合には、互いに隣り合うスクロールケーシング１３２ａ及びスクロールケーシング１３２ｂの回転軸Ｏ方向間に隙間が形成されることとなり、スクロール出口部１３７ａ、１３７ｂから熱交換器室Ｓ１０２内に吹き出された空気が、この隙間に対応する部分を通過しにくくなるが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａのスクロールケーシング１３２ｂ側及びスクロール吹出口１３５ｂのスクロールケーシング１３２ａ側へ拡散されやすくなる。これにより、送風能力の低下を抑えつつ、熱交換器１０４を通過する空気の偏流を抑えることができる。
【００９６】
また、壁部１６１ａはスクロール出口部１３７ａの外側のうちモータ１３３側に配置され、かつ、壁部１６１ｂはスクロール出口部１３７ｂの外側のうちモータ１３３側に配置されているため、熱交換器室Ｓ１０２内において、スクロール吹出口１３５ａのモータ１３３側及びスクロール吹出口１３５ｂのモータ１３３側に、負圧部Ｓ１０３が形成されることとなる。このため、本実施形態の空気調和装置１０１のように、羽根車１３１ａ、１３１ｂを回転駆動するモータ１３３がスクロールケーシング１３２ａ、１３２ｂの回転軸Ｏ方向側に配置されている場合には、スクロール吹出口１３５ａ、１３５ｂから熱交換器室Ｓ１０２内に吹き出された空気が、主として熱交換器１０４のうち平板部１２４を挟んでスクロールケーシング１３２ａ、１３２ｂに対向する部分を通過してしまい、熱交換器１０４のうち平板部１２４を挟んでモータ１３３に対向する部分を通過しにくくなるが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａ、１３５ｂのモータ１３３側へ拡散されやすくなる。これにより、送風能力の低下を抑えつつ、熱交換器１０４を通過する空気の偏流を抑えることができる。
【００９７】
また、本実施形態の空気調和装置１０１では、距離ｃを羽根車１３１ａ、１３１ｂのロータ幅Ｗの０．５倍以下にすることによって、スクロール吹出口１３５ａ、１３５ｂの外側近傍に負圧部Ｓ１０３を確実に形成させることができるようになっている。
また、本実施形態の空気調和装置１０１では、距離ａを０より大きくする、すなわち、スクロール出口部１３７ａ、１３７ｂの熱交換器１０４側の端部を熱交換器室Ｓ１０２側に突出させることによって、スクロール吹出口１３５ａ、１３５ｂから熱交換器室Ｓ１０２内に吹き出される空気をスクロール吹出口１３５ａ、１３５ｂの外側へ拡散させる効果の大きい、スクロール吹出口１３５ａ、１３５ｂの外側近傍にスクロール出口部１３７ａ、１３７ｂの熱交換器１０４側の端部と壁部１６１ａ、１６１ｂとに挟まれた空間からなる負圧部Ｓ１０３を形成することができるようになっている。しかも、距離ａを羽根車１３１ａ、１３１ｂのロータ径Ｄの０．３倍以下にすることによって、スクロール吹出口１３５ａ、１３５ｂと熱交換器１０４との間に、スクロール吹出口１３５ａ、１３５ｂから熱交換器室Ｓ１０２内に吹き出される空気がスクロール吹出口１３５ａ、１３５ｂの外側に拡散するのに十分な距離を確保することができるようになっている。
【００９８】
また、本実施形態の空気調和装置１０１では、距離ｂを距離ａ以上、すなわち、壁部１６１ａ、１６１ｂの端部をスクロール出口部１３７ａ、１３７ｂの熱交換器１０４側の端部よりも熱交換器１０４側に突出させることによって、スクロール出口部１３７ａ、１３７ｂの熱交換器１０４側の端部と壁部１６１ａ、１６１ｂとに挟まれた空間からなる負圧部Ｓ１０３の圧力とスクロール吹出口１３５ａ、１３５ｂから熱交換器室Ｓ１０２内に吹き出される空気の圧力との圧力差を大きくすることができるため、スクロール吹出口１３５ａ、１３５ｂから熱交換器室Ｓ１０２内に吹き出される空気をスクロール吹出口１３５ａ、１３５ｂの外側へ拡散させる効果を高めることができるようになっている。しかも、距離ｂを羽根車１３１ａ、１３１ｂのロータ径Ｄの０．５倍以下にすることによって、負圧部Ｓ１０３によってスクロール吹出口１３５ａ、１３５ｂの外側に向かって拡散しようとする空気の流れを壁部１６１ａ、１６１ｂによって極力制限しないようにすることができるため、スクロール吹出口１３５ａ、１３５ｂから熱交換器室Ｓ１０２内に吹き出される空気を壁部１６１ａ、１６１ｂの外側までさらに拡散させることができるようになっている。
【００９９】
また、本実施形態の空気調和装置１０１では、角度θを３０°より大きくすることによって、スクロール吹出口１３５ａ、１３５ｂの外側近傍に負圧部Ｓ１０３を確実に形成させることができる。しかも、角度θを９０°以下にすることによって、スクロール吹出口１３５ａ、１３５ｂから熱交換器室Ｓ１０２内に吹き出される空気がスクロール吹出口１３５ａ、１３５ｂの外側へ確実に拡散されるようにできるようになっている。
【０１００】
このように、本実施形態の空気調和装置１０１では、熱交換器１０４が仕切部材１２４の平板部１２５のほぼ全面に対向しているのに対して、平板部１２５の連通開口１２５ａ、１２５ｂ、すなわち、スクロールケーシング１３２ａ、１３２ｂのスクロール吹出口１３５ａ、１３５ｂが仕切部材１２４の平板部１２５に部分的に設けられているだけであるが、上述のような壁部１６１ａ、１６１ｂを設けることによって、スクロール出口部１３７ａ、１３７ｂのサイズを大きくすることなく、スクロール吹出口１３５ａ、１３５ｂから熱交換器室Ｓ１０２内に吹き出される空気を、スクロール吹出口１３５ａ、１３５ｂの外側、特に、回転軸Ｏ方向の外側に拡散させながら熱交換器１０４を通過させることができて、熱交換器１０４を通過する空気に偏流を抑えることができるようになっている。
【０１０１】
しかも、壁部１６１ａ、１６１ｂは、仕切部材１２４の平板部１２５の熱交換器室Ｓ１０２側に設けられているため、スクロール吸入口１３４ａ、１３４ｂの邪魔になったり、スクロール出口部１３７ａ、１３７ｂにおける動圧回収がされにくくなるというような問題も生じることもなく、さらに、送風機室Ｓ１０１内のスペースに余裕がない場合やユニットケーシング１０２をコンパクトにしなければならない場合において、熱交換器１０４を通過する空気に偏流を抑える手段として効果的である。
【０１０２】
（３）変形例１
本実施形態の空気調和装置１０１においても、第１実施形態の空気調和装置１の変形例１と同様に、壁部１６１ａ、１６１ｂの熱交換器１０４側の端部に、セレーションを設けてもよい（図１３参照）。これにより、壁部１６１ａ、１６１ｂの熱交換器１０４側の端部におけるスクロール吹出口１３５ａ、１３５ｂから熱交換器室Ｓ１０２内に吹き出される空気の圧力変動を抑えることができるようになり、壁部１６１ａ、１６１ｂの熱交換器１０４側の端部における圧力変動による騒音の発生を抑えることができる。
【０１０３】
また、本実施形態の空気調和装置１０１においても、第１実施形態の空気調和装置１の変形例２と同様に、壁部１６１ａ、１６１ｂの内面に、複数のディンプルを設けたり（図１４参照）、複数の貫通孔１７３を設けるようにしてもよい（図１５参照）。これにより、スクロール吹出口１３５ａ、１３５ｂから熱交換器室Ｓ１０２内に吹き出される空気を、壁部１６１ａ、１６１ｂのスクロール出口部１３７ａ、１３７ｂ側の面に沿わせることができるようになり、スクロール吹出口１３５ａ、１３５ｂから熱交換器室Ｓ１０２内に吹き出される空気をスクロール吹出口１３５ａ、１３５ｂの外側へ拡散させる効果を高めることができる。
【０１０４】
さらに、本実施形態の空気調和装置１０１においても、第１実施形態の空気調和装置１の変形例３と同様に、セレーション１７１と、複数のディンプル１７２又は貫通孔１７３とを同時に、壁部１６１ａ、１６１ｂに設けるようにしてもよい（図１６参照、例として、セレーション１７１とディンプル１７２を設けた形態を図示している）。これにより、セレーションを設けたことによる効果と、複数のディンプル又は貫通孔を設けたことによる効果を同時に得ることができる。
【０１０５】
（４）変形例２
また、上述の第２実施形態（変形例１を含む）の空気調和装置１０１においても、第１実施形態の空気調和装置１の変形例４と同様に、スクロールケーシング１３２ａ、１３２ｂのスクロール出口部１３７ａ、１３７ｂを、回転軸Ｏ方向のサイズＬを大きくすることなく、モータ１３３側に傾斜しながら連通開口１２５ａ、１２５ｂに向かって延びるように形成してもよい（図１７参照）。これにより、熱交換器室Ｓ１０２から吹き出された空気が、熱交換器１０４のうち平板部１２５を挟んでモータ１３３に対向する部分をさらに通過しやすくなり、熱交換器１０４を通過する空気の偏流を抑えることができる。しかも、スクロール出口部１３７ａ、１３７ｂの回転軸Ｏ方向のサイズＬを大きくしないようにしているため、スクロール出口部１３７ａ、１３７ｂにおける動圧回収がされにくくなる等の不具合も生じにくく、送風性能の低下を抑えることができる。
【０１０６】
＜他の実施形態＞
以上、本発明の実施形態について図面に基づいて説明したが、具体的な構成は、これらの実施形態に限られるものではなく、発明の要旨を逸脱しない範囲で変更可能である。
例えば、上記の第１実施形態においては、天井吊下タイプの空気調和装置に本発明を適用した例を説明し、上記の第２実施形態においては、ダクトタイプの空気調和装置に本発明を適用した例を説明したが、これに限定されず、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された天井埋込タイプの空気調和装置にも本発明を適用することが可能である。
【産業上の利用可能性】
【０１０７】
本発明を利用すれば、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、送風能力の低下を抑えつつ、熱交換器を通過する空気の偏流を抑えることができる。
【図面の簡単な説明】
【０１０８】
【図１】本発明にかかる空気調和装置の第１実施形態としての天井吊下タイプの空気調和装置の側面断面図である。
【図２】本発明にかかる空気調和装置の第１実施形態としての天井吊下タイプの空気調和装置の平面断面図である。
【図３】図２の拡大図であって、羽根車及びスクロールケーシング付近の構造を示す図である。
【図４】図１の拡大図であって、羽根車及びスクロールケーシング付近の構造を示す図である。
【図５】第１実施形態の変形例１にかかる空気調和装置であり、スクロール出口部付近の構造を示す図である。
【図６】第１実施形態の変形例２にかかる空気調和装置であり、スクロール出口部付近の構造を示す図である。
【図７】第１実施形態の変形例２にかかる空気調和装置であり、スクロール出口部付近の構造を示す図である。
【図８】第１実施形態の変形例３にかかる空気調和装置であり、スクロール出口部付近の構造を示す図である。
【図９】第１実施形態の変形例４にかかる空気調和装置であり、図２に相当する図である。
【図１０】本発明にかかる空気調和装置の第２実施形態としてのダクトタイプの空気調和装置の側面図（図１１のＡ矢視図）である。
【図１１】本発明にかかる空気調和装置の第２実施形態としてのダクトタイプの空気調和装置の平面断面図である。
【図１２】図１１の拡大図であって、羽根車及びスクロールケーシング付近の構造を示す図である。
【図１３】第２実施形態の変形例１にかかる空気調和装置であり、スクロール出口部付近の構造を示す図である。
【図１４】第２実施形態の変形例１にかかる空気調和装置であり、スクロール出口部付近の構造を示す図である。
【図１５】第２実施形態の変形例１にかかる空気調和装置であり、スクロール出口部付近の構造を示す図である。
【図１６】第２実施形態の変形例１にかかる空気調和装置であり、スクロール出口部付近の構造を示す図である。
【図１７】第２実施形態の変形例４にかかる空気調和装置であり、図１１に相当する図である。
【符号の説明】
【０１０９】
１、１０１  空気調和装置
２、１０２  ユニットケーシング
２ａ、１０２ｇ、１０２ｈ  ユニット吸入口
２ｂ、１０２ｉ  ユニット吹出口
４、１０４  熱交換器
２４、１２４  仕切部材
２５、１２５  平板部
２５ａ〜２５ｄ、１２５ａ、１２５ｂ  連通開口
３１ａ〜３１ｄ、１３１ａ、１３１ｂ  羽根車
３２ａ〜３２ｄ、１３２ａ、１３２ｂ  スクロールケーシング
３３、１３３  モータ（電動機）
３４ａ〜３４ｄ、１３４ａ、１３４ｂ  スクロール吸入口
３５ａ〜３５ｄ、１３５ａ、１３５ｂ  スクロール吹出口
３６ａ〜３６ｄ、１３６ａ、１３６ｂ  スクロール本体部
３７ａ〜３７ｄ、１３７ａ、１３７ｂ  スクロール出口部
６１ａ〜６１ｄ、１６１ａ、１６１ｂ  壁部
７１、１７１  セレーション
７２、１７２  ディンプル
７３、１７３  貫通孔
ａ、ｂ、ｃ  距離
Ｄ  ロータ径
Ｏ  回転軸
Ｓ１  送風機室
Ｓ２  熱交換器室
Ｗ  ロータ幅
θ  角度
【図１】
2006125828.tif 000003
【図２】
2006125828.tif 000004
【図３】
2006125828.tif 000005
【図４】
2006125828.tif 000006
【図５】
2006125828.tif 000007
【図６】
2006125828.tif 000008
【図７】
2006125828.tif 000009
【図８】
2006125828.tif 000010
【図９】
2006125828.tif 000011
【図１０】
2006125828.tif 000012
【図１１】
2006125828.tif 000013
【図１２】
2006125828.tif 000014
【図１３】
2006125828.tif 000015
【図１４】
2006125828.tif 000016
【図１５】
2006125828.tif 000017
【図１６】
2006125828.tif 000018
【図１７】
2006125828.tif 000019
【手続補正書】
【提出日】平成18年2月1日(2006.2.1)
【手続補正１】
【補正対象書類名】特許請求の範囲
【補正対象項目名】全文
【補正方法】変更
【補正の内容】
【特許請求の範囲】
【請求項１】
ユニット吸入口（２ａ）（１０２ａ）とユニット吹出口（２ｂ）（１０２ｉ）とを有するユニットケーシング（２）（１０２）と、
前記ユニット吸入口に連通される送風機室（Ｓ１）（Ｓ１０１）と、前記ユニット吹出口に連通される熱交換器室（Ｓ２）（Ｓ１０２）とに前記ユニットケーシング内の空間を仕切る部材であり、前記送風機室と前記熱交換器室とを連通する連通開口（２５ａ〜２５ｄ）（１２５ａ、１２５ｂ）が形成された平板部（２５）（１２５）を有する仕切部材（２４）（１２４）と、
前記送風機室に配置される羽根車（３１ａ〜３１ｄ）（１３１ａ、１３１ｂ）と、
スクロール吸入口（３４ａ〜３４ｄ）（１３４ａ、１３４ｂ）を有し前記羽根車を収容するスクロール本体部（３６ａ〜３６ｄ）（１３６ａ、１３６ｂ）と、前記連通開口に対応して配置されるスクロール吹出口（３５ａ〜３５ｄ）（１３５ａ、１３５ｂ）を有する筒状のスクロール出口部（３７ａ〜３７ｄ）（１３７ａ、１３７ｂ）とを有するスクロールケーシング（３２ａ〜３２ｄ）（１３２ａ、１３２ｂ）と、
前記スクロール吹出口に対向して配置されており、前記スクロール吹出口から前記熱交換器室内に吹き出された空気が通過した後に前記ユニット吹出口から吹き出されるように前記熱交換器室内に配置される熱交換器（４）（１０４）とを備え、
前記平板部の熱交換器室側の面には、前記スクロール出口部及び前記平板部を前記スクロール吹出口に対向する方向から見た際において、前記平板部の熱交換器側の面と前記スクロール出口部とが交わる部分よりも前記スクロール出口部の外側の位置から、熱交換器側に向かって突出する壁部（６１ａ〜６１ｄ）（１６１ａ、１６１ｂ）が設けられている、
空気調和装置（１）（１０１）。
【請求項２】
前記スクロール出口部（３７ａ〜３７ｄ）（１３７ａ、１３７ｂ）と前記平板部（２５）（１２５）の熱交換器側の面とが交わる部分と、前記壁部（６１ａ〜６１ｄ）（１６１ａ、１６１ｂ）と前記平板部の熱交換器側の面とが交わる部分との距離（ｃ）は、前記羽根車（３１ａ〜３１ｄ）（１３１ａ、１３１ｂ）のロータ幅（Ｗ）の０．５倍以下である、請求項１に記載の空気調和装置（１）（１０１）。
【請求項３】
前記平板部（２５）（１２５）の熱交換器側の面から前記スクロール出口部（３７ａ〜３７ｄ）（１３７ａ、１３７ｂ）の熱交換器側の端部までの距離（ａ）は、０より大きく、前記羽根車（３１ａ〜３１ｄ）（１３１ａ、１３１ｂ）のロータ径（Ｄ）の０．３倍以下である、請求項１又は２に記載の空気調和装置（１）（１０１）。
【請求項４】
前記平板部（２５）（１２５）の熱交換器側の面から前記壁部（６１ａ〜６１ｄ）（１６１ａ、１６１ｂ）の熱交換器側の端部までの距離（ｂ）は、前記平板部の熱交換器側の面から前記スクロール出口部（３７ａ〜３７ｄ）（１３７ａ、１３７ｂ）の熱交換器側の端部までの距離（ａ）以上であり、前記羽根車（３１ａ〜３１ｄ）（１３１ａ、１３１ｂ）のロータ径（Ｄ）の０．５倍以下である、請求項３に記載の空気調和装置（１）（１０１）。
【請求項５】
前記壁部（６１ａ〜６１ｄ）（１６１ａ、１６１ｂ）と前記平板部（２５）（１２５）の熱交換器側の面とがなす角度（θ）は、３０°より大きく、９０°以下である、請求項１〜４のいずれかに記載の空気調和装置（１）（１０１）。
【請求項６】
前記壁部（６１ａ〜６１ｄ）（１６１ａ、１６１ｂ）の熱交換器側の端部には、セレーション（７１）（１７１）が設けられている、請求項１〜５のいずれかに記載の空気調和装置（１）（１０１）。
【請求項７】
前記壁部（６１ａ〜６１ｄ）（１６１ａ、１６１ｂ）のスクロール出口部側の面には、複数のディンプル（７２）（１７２）が設けられている、請求項１〜６のいずれかに記載の空気調和装置（１）（１０１）。
【請求項８】
前記壁部（６１ａ〜６１ｄ）（１６１ａ、１６１ｂ）には、複数の貫通孔（７３）（１７３）が設けられている、請求項１〜６のいずれかに記載の空気調和装置（１）（１０１）。
【請求項９】
前記羽根車（３１ａ〜３１ｄ）は、前記平板部（２５）に沿う回転軸（Ｏ）を中心として回転するように配置されており、
前記送風機室（Ｓ１）内の前記スクロールケーシング（３２ａ〜３２ｄ）の回転軸方向側に配置されており、前記羽根車を回転駆動する電動機（３３）をさらに備えており、
前記スクロール出口部（３７ｂ、３７ｃ）は、回転軸方向のサイズを大きくすることなく、前記電動機側に傾斜しながら前記連通開口（２５ｂ、２５ｃ）に向かって延びている、
請求項１〜８のいずれかに記載の空気調和装置（１）。
【請求項１０】
前記羽根車（１３１ａ、１３１ｂ）は、前記平板部（１２５）に沿う回転軸（Ｏ）を中心として回転するように配置されており、
前記壁部（１６１ａ、１６１ｂ）は、前記スクロール出口部（１３７ａ、１３７ｂ）のうち、回転軸方向側の部分に対応して配置されている、
請求項１〜８のいずれかに記載の空気調和装置（１０１）。
【請求項１１】
前記羽根車（１３１ａ、１３１ｂ）及び前記スクロールケーシング（１３２ａ、１３２ｂ）は、回転軸方向に複数並んで配置されており、
前記壁部（１６１ａ、１６１ｂ）は、前記各スクロール出口部（１３７ａ、１３７ｂ）のうち、隣り合うスクロールケーシング側の部分に対応して配置されている、
請求項１０に記載の空気調和装置（１０１）。
【請求項１２】
前記送風機室（Ｓ１０１）内の前記スクロールケーシング（１３２ａ、１３２ｂ）の回転軸方向側に配置されており、前記羽根車（１３１ａ、１３１ｂ）を回転駆動する電動機（１３３）をさらに備えており、
前記壁部（１６１ａ、１６１ｂ）は、前記スクロール出口部（１３７ａ、１３７ｂ）のうち、前記電動機側の部分に対応して配置されている、
請求項１０又は１１に記載の空気調和装置（１０１）。
【請求項１３】
前記スクロール出口部（１３７ａ、１３７ｂ）は、回転軸方向のサイズを大きくすることなく、前記電動機側に傾斜しながら前記連通開口（１２５ａ、１２５ｂ）に向かって延びている、
請求項１２のいずれかに記載の空気調和装置（１０１）。
【手続補正２】
【補正対象書類名】明細書
【補正対象項目名】全文
【補正方法】変更
【補正の内容】
【発明の詳細な説明】
【技術分野】
【０００１】
本発明は、空気調和装置、特に、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置に関する。
【背景技術】
【０００２】
従来より、羽根車と羽根車を収容するスクロールケーシングとを有する遠心送風機と、熱交換器とが仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置がある。
【０００３】
このような空気調和装置の一例として、天井吊下タイプの空気調和装置がある。この天井吊下タイプの空気調和装置は、主として、天井に吊り下げ可能なユニットケーシングと、ユニット吸入口を介してユニットケーシング内に空気を吸入してユニット吹出口から空気を吹き出す遠心送風機と、熱交換器とを備えている。
ユニットケーシングは、底面にユニット吸入口と前面にユニット吹出口とが形成されている。また、ユニットケーシングには、側方に長く縦向きに配置された板状の部材からなる仕切部材が配置されており、ユニット吸入口に連通される背面側の送風機室とユニット吹出口に連通される前面側の熱交換器室とにユニットケーシング内の空間を仕切っている。より具体的には、仕切部材は、ユニットケーシングの前面及び背面に平行（すなわち、ユニットケーシングの側面に直交）する平板部を有している。この平板部には、送風機室と熱交換器室を連通する連通開口が形成されている。
【０００４】
遠心送風機は、送風機室内に配置されており、主として、羽根車と、羽根車を収容するスクロールケーシングと、羽根車を回転駆動するモータとを有している。羽根車は、その回転軸がユニットケーシングの側方を向くように配置された、例えば、両吸込タイプのシロッコファンロータである。スクロールケーシングは、羽根車の回転軸方向に向かって開口したスクロール吸入口を有するスクロール本体部と、スクロール吸入口に交差する方向に空気を吹き出すように形成されており仕切部材の連通開口に対応するように配置されたスクロール吹出口を有する筒状のスクロール出口部とを有している。このような空気調和装置では、羽根車及びスクロールケーシングが回転軸方向、すなわち、ユニットケーシングの側方に向かって複数台並べて設けられる場合が多く、この場合には、複数の羽根車が１台のモータにより一括して回転駆動される。
【０００５】
熱交換器は、スクロール吹出口、より具体的には、仕切部材の平板部のほぼ全面に対向して熱交換器室内に配置されており、送風機室内で遠心送風機により昇圧されてスクロールケーシングのスクロール吹出口から熱交換器室内に吹き出された空気を冷却や加熱するための機器である。
このような空気調和装置では、遠心送風機を作動させることによって、ユニット吸入口を介してユニットケーシングの送風機室内に空気が吸入され、送風機室内に吸入された空気がスクロール吸入口を通じてスクロールケーシング内に吸入され、羽根車の内周側から外周側に吹き出される。この羽根車の外周側に吹き出されて昇圧された空気は、仕切部材の連通開口に対応するように配置されたスクロール吹出口から熱交換器室内に吹き出される。そして、スクロール吹出口から熱交換器室内に吹き出された空気は、熱交換器の伝熱管内を流れる冷媒と熱交換を行うことによって冷却又は加熱されて、ユニット吹出口から室内に吹き出されるようになっている（例えば、特許文献１参照。）。
【０００６】
しかし、上記従来の空気調和装置では、熱交換器が仕切部材の平板部のほぼ全面に対向しているのに対して、平板部の連通開口、すなわち、スクロールケーシングのスクロール吹出口が仕切部材の平板部に部分的に設けられているだけであるため、スクロール吹出口から熱交換器室内に吹き出される空気がほとんど拡散することなく熱交換器を通過することになり、熱交換器を通過する空気に偏流が生じて、熱交換器における通風抵抗が増加したり、送風能力及び熱交換能力が低下するという問題が生じることになる。特に、上記従来の空気調和装置のように、羽根車及びスクロールケーシングを複数台並べて設けた構成の場合には、各スクロール吹出口において上記の問題が生じることになる。
【０００７】
これに対して、スクロール出口部の羽根車の回転軸方向のサイズを拡大したスクロールケーシングを備えた空気調和装置が提案されている（特許文献２参照。）。
【特許文献１】特開２００２−１０６９４５号公報
【特許文献２】特開平５−９９４４４号公報
【発明の開示】
【発明が解決しようとする課題】
【０００８】
上記後者の空気調和装置においては、スクロール吹出口のサイズを大きくすることになるため、熱交換器を通過する空気が偏流するという問題は改善されるが、スクロール出口部のサイズが羽根車のサイズよりもかなり大きなサイズになってしまうため、スクロール吸入口の邪魔になったり、スクロール出口部における動圧回収がされにくくなり、結果的に、送風能力を低下させてしまうおそれがある。
【０００９】
また、スクロール出口部のサイズを大きくできるほど送風機室内のスペースに余裕がある場合には、羽根車及びスクロールケーシング自体のサイズを大きくすればよいため、送風機室内のスペースに余裕がない場合やユニットケーシングをコンパクトにしなければならない場合には、上記後者の空気調和装置の構成を適用するのが困難である。
本発明の課題は、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、送風能力の低下を抑えつつ、熱交換器を通過する空気の偏流を抑えることにある。
【課題を解決するための手段】
【００１０】
第１の発明にかかる空気調和装置は、ユニットケーシングと、仕切部材と、羽根車と、スクロールケーシングと、熱交換器とを備えている。ユニットケーシングは、ユニット吸入口とユニット吹出口とを有している。仕切部材は、ユニット吸入口に連通される送風機室と、ユニット吹出口に連通される熱交換器室とにユニットケーシング内の空間を仕切る部材であり、送風機室と熱交換器室とを連通する連通開口が形成された平板部を有している。羽根車は、送風機室に配置されている。スクロールケーシングは、スクロール吸入口を有し羽根車を収容するスクロール本体部と、連通開口に対応して配置されるスクロール吹出口を有する筒状のスクロール出口部とを有している。熱交換器は、スクロール吹出口に対向して配置されており、スクロール吹出口から熱交換器室内に吹き出された空気が通過した後にユニット吹出口から吹き出されるように熱交換器室内に配置されている。平板部の熱交換器側の面には、スクロール出口部及び平板部をスクロール吹出口に対向する方向から見た際において、平板部の熱交換器側の面とスクロール出口部とが交わる部分よりもスクロール出口部の外側の位置から、熱交換器側に向かって突出する壁部が設けられている。
【００１１】
この空気調和装置では、平板部の熱交換器側の面に、スクロール出口部及び平板部をスクロール吹出口に対向する方向から見た際において、平板部の熱交換器側の面とスクロール出口部とが交わる部分よりもスクロール出口部の外側の位置（以下、単に外側とする）から、熱交換器側に突出する壁部が設けられているため、熱交換器室内において、スクロール吹出口の外側近傍にスクロール吹出口から熱交換器室内に吹き出された空気の圧力よりも圧力の低い部分（以下、負圧部とする）が形成される。そして、スクロール吹出口から熱交換器室内に吹き出される空気は、この負圧部に引き込まれるように流れるようになるため、スクロール吹出口の外側へ拡散される。これにより、送風能力の低下を抑えつつ、熱交換器を通過する空気の偏流を抑えることができる。
【００１２】
第２の発明にかかる空気調和装置は、第１の発明にかかる空気調和装置において、スクロール出口部と平板部の熱交換器側の面とが交わる部分と、壁部と平板部の熱交換器側の面とが交わる部分との距離は、羽根車のロータ幅の０．５倍以下である。
この空気調和装置では、スクロール出口部と平板部の熱交換器側の面とが交わる部分と壁部と平板部の熱交換器側の面とが交わる部分との距離を羽根車のロータ幅の０．５倍以下にすることによって、スクロール吹出口の外側近傍に負圧部を確実に形成させることができる。
【００１３】
第３の発明にかかる空気調和装置は、第１又は第２の発明にかかる空気調和装置において、平板部の熱交換器側の面からスクロール出口部の熱交換器側の端部までの距離は、０より大きく、羽根車のロータ径の０．３倍以下である。
この空気調和装置では、平板部の熱交換器側の面からスクロール出口部の熱交換器側の端部までの距離を０より大きくする、すなわち、スクロール出口部の熱交換器側の端部を熱交換器室側に突出させることによって、スクロール吹出口から熱交換器室内に吹き出される空気をスクロール吹出口の外側へ拡散させる効果の大きい、スクロール吹出口の外側近傍にスクロール出口部の熱交換器側の端部と壁部とに挟まれた空間からなる負圧部を形成することができる。しかも、平板部の熱交換器側の面からスクロール出口部の熱交換器側の端部までの距離を羽根車のロータ径の０．３倍以下にすることによって、スクロール吹出口と熱交換器との間に、スクロール吹出口から熱交換器室内に吹き出される空気がスクロール吹出口の外側に拡散するのに十分な距離を確保することができる。
【００１４】
第４の発明にかかる空気調和装置は、第３の発明にかかる空気調和装置において、平板部の熱交換器側の面から壁部の熱交換器側の端部までの距離は、平板部の熱交換器側の面からスクロール出口部の熱交換器側の端部までの距離以上であり、羽根車のロータ径の０．５倍以下である。
この空気調和装置では、平板部の熱交換器側の面から壁部の熱交換器側の端部までの距離を平板部の熱交換器側の面からスクロール出口部の熱交換器側の端部までの距離以上、すなわち、壁部の端部をスクロール出口部の熱交換器側の端部よりも熱交換器側に突出させることによって、スクロール出口部の熱交換器側の端部と壁部とに挟まれた空間からなる負圧部の圧力とスクロール吹出口から熱交換器室内に吹き出される空気の圧力との圧力差を大きくすることができるため、スクロール吹出口から熱交換器室内に吹き出される空気をスクロール吹出口の外側へ拡散させる効果を高めることができる。しかも、平板部の熱交換器側の面から壁部の熱交換器側の端部までの距離を羽根車のロータ径の０．５倍以下にすることによって、負圧部によってスクロール吹出口の外側に向かって拡散しようとする空気の流れを壁部によって極力制限しないようにすることができるため、スクロール吹出口から熱交換器室内に吹き出される空気を壁部の外側までさらに拡散させることができる。
【００１５】
第５の発明にかかる空気調和装置は、第１〜第４の発明のいずれかにかかる空気調和装置において、壁部と平板部の熱交換器側の面とがなす角度は、３０°より大きく、９０°以下である。
この空気調和装置では、壁部と平板部の熱交換器側の面とがなす角度を３０°より大きくすることによって、スクロール吹出口の外側近傍に負圧部を確実に形成させることができる。しかも、壁部と平板部の熱交換器側の面とがなす角度を９０°以下にすることによって、スクロール吹出口から熱交換器室内に吹き出される空気がスクロール吹出口の外側へ確実に拡散されるようにできる。
【００１６】
第６の発明にかかる空気調和装置は、第１〜第５の発明のいずれかにかかる空気調和装置において、壁部の熱交換器側の端部には、セレーションが設けられている。
この空気調和装置では、壁部の熱交換器側の端部にセレーションが設けられているため、壁部の熱交換器側の端部におけるスクロール吹出口から熱交換器室内に吹き出される空気の圧力変動を抑えることができる。これにより、壁部の熱交換器側の端部における圧力変動による騒音の発生を抑えることができる。
【００１７】
第７の発明にかかる空気調和装置は、第１〜第６の発明のいずれかにかかる空気調和装置において、壁部のスクロール出口部側の面には、複数のディンプルが設けられている。
この空気調和装置では、壁部のスクロール出口部側の面に複数のディンプルが設けられているため、スクロール吹出口から熱交換器室内に吹き出される空気を、壁部のスクロール出口部側の面に沿わせることができる。これにより、スクロール吹出口から熱交換器室内に吹き出される空気をスクロール吹出口の外側へ拡散させる効果を高めることができる。
【００１８】
第８の発明にかかる空気調和装置は、第１〜第６の発明のいずれかにかかる空気調和装置において、壁部には、複数の貫通孔が設けられている。
この空気調和装置では、壁部に複数の貫通孔が設けられているため、スクロール吹出口から熱交換器室内に吹き出される空気を、壁部のスクロール出口部側の面に沿わせることができる。これにより、スクロール吹出口から熱交換器室内に吹き出される空気をスクロール吹出口の外側へ拡散させる効果を高めることができる。
【００１９】
第９の発明にかかる空気調和装置は、第１〜第８の発明のいずれかにかかる空気調和装置において、羽根車は、平板部に沿う回転軸を中心として回転するように配置されている。この空気調和装置は、送風機室内のスクロールケーシングの回転軸方向側に配置されており、羽根車を回転駆動する電動機をさらに備えている。スクロール出口部は、回転軸方向のサイズを大きくすることなく、電動機側に傾斜しながら連通開口に向かって延びている。
【００２０】
従来の空気調和装置のように、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置では、羽根車が仕切部材の平板部に沿う回転軸を中心として回転するように配置されており、羽根車を回転駆動する電動機が送風機室内のスクロールケーシングの回転軸方向側に配置されている。
【００２１】
このような構成を有する空気調和装置では、スクロールケーシングのスクロール吹出口から熱交換器室内に吹き出された空気が、主として熱交換器のうち平板部を挟んでスクロールケーシングに対向する部分を通過してしまい、熱交換器のうち平板部を挟んで電動機に対向する部分を通過しにくくなっているため、熱交換器を通過する空気に偏流が生じて、熱交換器における通風抵抗が増加したり、送風能力及び熱交換能力が低下するという問題が生じることになる。
【００２２】
これに対して、本発明にかかる空気調和装置では、スクロール出口部が、回転軸方向のサイズを大きくすることなく、電動機側に傾斜しながら連通開口に向かって延びているため、熱交換器のうち平板部を挟んで電動機に対向する部分も通過しやすくなり、熱交換器を通過する空気の偏流を抑えることができる。しかも、スクロール出口部の回転軸方向のサイズを大きくしないようにしているため、スクロール出口部における動圧回収がされにくくなる等の不具合も生じにくく、送風性能の低下を抑えることができる。
【００２３】
第１０の発明にかかる空気調和装置は、第１〜第８の発明のいずれかにかかる空気調和装置において、羽根車は、平板部に沿う回転軸を中心として回転するように配置されている。壁部は、スクロール出口部のうち、回転軸方向側の部分に対応して配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されている場合には、この回転軸に交わる方向に開口するスクロール出口部から熱交換器室に吹き出される空気が、回転軸に沿う方向には拡散されにくい傾向が強い。
【００２４】
しかし、この空気調和装置では、スクロール出口部のうち、回転軸方向側の部分に対応して（以下、単に回転軸方向の外側とする）に壁部が設けられているため、熱交換器室内において、スクロール吹出口の回転軸方向の外側近傍に負圧部が形成される。そして、スクロール吹出口から熱交換器室内に吹き出される空気は、この負圧部に引き込まれるように流れるようになるため、スクロール吹出口の回転軸方向の外側へ拡散されやすくなる。これにより、送風能力の低下を抑えつつ、熱交換器を通過する空気の偏流を抑えることができる。
【００２５】
第１１の発明にかかる空気調和装置は、第１０の発明にかかる空気調和装置において、羽根車及びスクロールケーシングは、回転軸方向に複数並んで配置されている。壁部は、各スクロール出口部のうち、隣り合うスクロールケーシング側の部分に対応して配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されており、羽根車及びスクロールケーシングを回転軸方向に複数並べている場合には、隣り合うスクロールケーシング間に隙間が形成されることとなり、スクロール出口部から熱交換器室内に吹き出された空気が、この隙間に対応する部分を通過しにくくなる。
【００２６】
しかし、この空気調和装置では、壁部が、スクロール出口部のうち、隣り合うスクロールケーシング側の部分に対応して（以下、単に隣り合うスクロールケーシング側とする）に配置されているため、熱交換器室内において、スクロール吹出口の隣り合うスクロールケーシング側に負圧部が形成される。そして、スクロール吹出口から熱交換器室内に吹き出される空気は、この負圧部に引き込まれるように流れるようになるため、スクロール吹出口の隣り合うスクロールケーシング側へ拡散されやすくなる。これにより、送風能力の低下を抑えつつ、熱交換器を通過する空気の偏流を抑えることができる。
【００２７】
第１２の発明にかかる空気調和装置は、第１０又は第１１の発明にかかる空気調和装置において、送風機室内のスクロールケーシングの回転軸方向側に配置されており、羽根車を回転駆動する電動機をさらに備えている。壁部は、スクロール出口部のうち、電動機側の部分に対応して配置されている。
仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、羽根車が仕切部材の平板部に沿う回転軸を中心として回転するように配置されており、羽根車を回転駆動する電動機がスクロールケーシングの回転軸方向側に配置されている場合には、スクロール吹出口から熱交換器室内に吹き出された空気が、主として熱交換器のうち平板部を挟んでスクロールケーシングに対向する部分を通過してしまい、熱交換器のうち平板部を挟んで電動機に対向する部分を通過しにくくなる。
【００２８】
しかし、この空気調和装置では、壁部が、スクロール出口部のうち、電動機側の部分に対応して（以下、単に電動機側とする）に配置されているため、熱交換器室内において、スクロール吹出口の電動機側に負圧部が形成される。そして、スクロール吹出口から熱交換器室内に吹き出される空気は、この負圧部に引き込まれるように流れるようになるため、スクロール吹出口の電動機側へ拡散されやすくなる。これにより、送風能力の低下を抑えつつ、熱交換器を通過する空気の偏流を抑えることができる。
【００２９】
第１３の発明にかかる空気調和装置は、第１２の発明にかかる空気調和装置において、スクロール出口部は、回転軸方向のサイズを大きくすることなく、電動機側に傾斜しながら前記連通開口に向かって延びている。
この空気調和装置では、スクロール出口部が、回転軸方向のサイズを大きくすることなく、電動機側に傾斜しながら連通開口に向かって延びているため、熱交換器のうち平板部を挟んで電動機に対向する部分も通過しやすくなり、熱交換器を通過する空気の偏流をさらに抑えることができる。しかも、スクロール出口部の回転軸方向のサイズを大きくしないようにしているため、スクロール出口部における動圧回収がされにくくなる等の不具合も生じにくく、送風性能の低下を抑えることができる。
【発明の効果】
【００３０】
以上の説明に述べたように、本発明によれば、以下の効果が得られる。
第１の発明では、スクロール出口部の外側に平板部の熱交換器側に突出する壁部が設けられているため、スクロール吹出口の外側へ拡散される。
第２の発明では、スクロール出口部と平板部の熱交換器側の面とが交わる部分と壁部と平板部の熱交換器側の面とが交わる部分との距離を羽根車のロータ幅の０．５倍以下にすることによって、スクロール吹出口の外側近傍に負圧部を確実に形成させることができる。
【００３１】
第３の発明では、平板部の熱交換器側の面からスクロール出口部の熱交換器側の端部までの距離を０より大きくし、かつ、羽根車のロータ径の０．３倍以下にすることによって、スクロール吹出口の外側近傍にスクロール出口部の熱交換器側の端部と壁部とに挟まれた空間からなる負圧部を形成し、かつ、スクロール吹出口から熱交換器室内に吹き出される空気がスクロール吹出口の外側に拡散するのに十分な距離を確保することができる。
【００３２】
第４の発明では、平板部の熱交換器側の面から壁部の熱交換器側の端部までの距離を平板部の熱交換器側の面からスクロール出口部の熱交換器側の端部までの距離以上とし、かつ、羽根車のロータ径の０．５倍以下にすることによって、スクロール吹出口から熱交換器室内に吹き出される空気をスクロール吹出口の外側へ拡散させる効果を高め、かつ、スクロール吹出口から熱交換器室内に吹き出される空気を壁部の外側までさらに拡散させることができる。
【００３３】
第５の発明では、壁部と平板部の熱交換器側の面とがなす角度を３０°より大きくし、かつ、壁部と平板部の熱交換器側の面とがなす角度を９０°以下にすることによって、スクロール吹出口の外側近傍に負圧部を確実に形成し、かつ、スクロール吹出口から熱交換器室内に吹き出される空気がスクロール吹出口の外側へ確実に拡散されるようにできる。
第６の発明では、壁部の熱交換器側の端部にセレーションが設けられているため、壁部の熱交換器側の端部におけるスクロール吹出口から熱交換器室内に吹き出される空気の圧力変動を抑えることができる。
【００３４】
第７の発明では、壁部のスクロール出口部側の面に複数のディンプルが設けられているため、スクロール吹出口から熱交換器室内に吹き出される空気を、壁部のスクロール出口部側の面に沿わせることができる。
第８の発明では、壁部に複数の貫通孔が設けられているため、スクロール吹出口から熱交換器室内に吹き出される空気を、壁部のスクロール出口部側の面に沿わせることができる。
【００３５】
第９の発明では、スクロール出口部が、回転軸方向のサイズを大きくすることなく、電動機側に傾斜しながら連通開口に向かって延びているため、送風能力の低下を抑えつつ、熱交換器を通過する空気の偏流を抑えることができる。
第１０の発明では、羽根車の回転軸方向の外側に壁部が設けられているため、スクロール吹出口の回転軸方向の外側へ拡散される。
【００３６】
第１１の発明では、壁部が、スクロール出口部の外側のうち、隣り合うスクロールケーシング側に配置されているため、スクロール吹出口の隣り合うスクロールケーシング側へ拡散される。
第１２の発明では、壁部が、スクロール出口部の外側のうち、電動機側に配置されているため、スクロール吹出口の電動機側へ拡散される。
【００３７】
第１３の発明では、スクロール出口部が、回転軸方向のサイズを大きくすることなく、電動機側に傾斜しながら連通開口に向かって延びているため、送風能力の低下を抑えつつ、熱交換器を通過する空気の偏流を抑えることができる。
【発明を実施するための最良の形態】
【００３８】
以下、図面に基づいて、本発明にかかる空気調和装置の実施形態について説明する。
＜第１実施形態＞
（１）空気調和装置の基本構造
図１及び図２に、本発明にかかる空気調和装置の第１実施形態としての天井吊下タイプの空気調和装置１を示す。ここで、図１は、空気調和装置１の側面断面図（スクロールケーシング３２ｂの断面を図示）である。図２は、空気調和装置１の平面断面図である。
この空気調和装置１は、空調室の天井に吊り下げられて設置されており、室外に配置される室外ユニット（図示せず）に冷媒連絡配管（図示せず）を介して接続されている。
空気調和装置１は、主として、ユニットケーシング２と、遠心送風機３と、熱交換器４とを備えている。
【００３９】
＜ユニットケーシング＞
ユニットケーシング２は、全体として側方に長い薄型箱形状であり、背面側から前面側にかけて高さ方向の寸法が小さくなるように形成されている。ユニットケーシング２の底面の背面側の部分には、室内の空気をユニットケーシング２内に吸入するユニット吸入口２ａが設けられている。また、ユニットケーシング２の前面には、冷却又は加熱された空気をユニットケーシング２内から室内に吹き出すユニット吹出口２ｂが設けられている。
【００４０】
より具体的には、ユニットケーシング２は、主として、天井に吊り下げ可能な天板部２１と、天板部２１の前面側の部分に対向して配置される底板部２２と、天板部２１の背面側の部分に対向して配置される吸入グリル２３とを有している。天板部２１は、１対の側面と背面とが板金加工により折り曲げて形成された金属製の板状部材である。吸入グリル２３は、着脱可能に天板部２１に装着されており、吸入口２ａを構成している。
【００４１】
また、ユニットケーシング２の底板部２２と吸入グリル２３との間には、側方に長く縦向きに配置された板状の部材からなる仕切部材２４が設けられている。仕切部材２４は、ユニット吸入口２ａに連通される背面側の送風機室Ｓ１とユニット吹出口２ｂに連通される前面側の熱交換器室Ｓ２とにユニットケーシング２内の空間を仕切っている。より具体的には、仕切部材２４は、本実施形態において、ユニットケーシング２の前面及び背面に平行（すなわち、ユニットケーシング２の側面に直交）する平板部２５を有している。そして、この平板部２５には、遠心送風機３を構成する４つのスクロールケーシング３２ａ〜３２ｄの各スクロール吹出口３５ａ〜３５ｄ（後述）に対応しており、送風機室Ｓ１と熱交換器室Ｓ２とを連通する４つの連通開口２５ａ〜２５ｄが形成されている。４つの連通開口２５ａ〜２５ｄは、平板部２５の長手方向に並んで配置されており、本実施形態において、横長の長方形状の角孔である。
【００４２】
ユニットケーシング２の前面、側面及び底面は、合成樹脂製の化粧部材２６により覆われている。天板部２１のユニット吹出口２ｂの近傍には、例えば、発泡スチロール等からなる断熱部材２７が装着されている。また、底板部２２の内部には、例えば、発泡スチロール等からなるドレンパン２８が装着されている。これらのユニットケーシング２の前面側の部分、化粧部材２６、断熱部材２７の前面側の部分及びドレンパン２８の前面側の部分により、略矩形で側方に長いユニット吹出口２ｂが構成されている。
【００４３】
ユニット吹出口２ｂには、上下に揺動する第１フラップ２９と、左右に揺動する複数の第２フラップ３０とが設けられている。第１フラップ２９は、側方に長い板状の部材からなり、ユニット吹出口２ｂの長手方向に沿う第１軸Ｘ１周りに揺動自在にユニットケーシング２に支持されている。複数の第２フラップ３０は、第１軸Ｘ１の背面側の位置で第１軸Ｘ１と食い違う第２軸Ｘ２回りに揺動自在にユニットケーシング２に支持されている。
【００４４】
＜遠心送風機＞
遠心送風機３は、送風機室Ｓ１内に配置されており、ユニット吸入口２ａから送風機室Ｓ１内に空気を吸入して昇圧し、仕切部材２４の連通開口２５ａ〜２５ｄを通じて熱交換器室Ｓ２に吹き出すための機器である。そして、遠心送風機３は、主として、４つの羽根車３１ａ〜３１ｄと、各羽根車３１ａ〜３１ｄを収容する４つのスクロールケーシング３２ａ〜３２ｄと、羽根車３１ａ〜３１ｄを回転駆動するモータ３３とを有している。
【００４５】
まず、羽根車３１ａ〜３１ｄについて、図１及び図２を用いて説明する。羽根車３１ａ〜３１ｄは、本実施形態においては、両吸込タイプのシロッコファンロータであり、その回転軸Ｏがユニットケーシング２の側方を向くように（すなわち、仕切部材２４の平板部２５に沿うように）並んで配置されている。尚、羽根車３１ａ〜３１ｄはすべて同様の構造であるため、ここでは、羽根車３１ｂの構成のみを説明し、羽根車３１ａ、３１ｃ、３１ｄの構成については、羽根車３１ｂの各部を示す符号ｂの代わりに符号ａ、ｃ、ｄを付して、各部の説明を省略する。
【００４６】
羽根車３１ｂは、主として、回転軸Ｏを中心として回転する円板状の主板４１ｂと、主板４１ｂの外周部の両面に回転軸Ｏを中心として環状に配置されており各一端が主板４１ｂに固定された多数枚の翼４２ｂと、主板４１ｂの回転軸Ｏ方向両側に配置されており多数枚の翼４２ｂの他端を結ぶ１対の側板４３ｂとを有している。
次に、スクロールケーシング３２ａ〜３２ｄについて説明する。尚、スクロールケーシング３２ａ〜３２ｄはすべて同様の構造であるため、ここでは、スクロールケーシング３２ｂの構成のみを説明し、スクロールケーシング３２ａ、３２ｃ、３２ｄの構成については、スクロールケーシング３２ｂの各部を示す符号ｂの代わりに符号ａ、ｃ、ｄを付して、各部の説明を省略する。
【００４７】
スクロールケーシング３２ｂは、両吸込タイプの遠心送風機を構成するために両側面に形成された２つのスクロール吸入口３４ｂと、スクロール吸入口３４ｂに交差する方向に空気を吹き出すように形成されたスクロール吹出口３５ｂとを有している。ここで、スクロール吸入口３４ｂは、羽根車３１ｂの回転軸Ｏ方向に向かって開口している。このため、ユニット吸入口２ａは、スクロール吸入口３４ｂの開口方向に交差する方向（より具体的には、直交方向）に向かって開口していることになる。また、スクロール吹出口３５ｂは、仕切部材２４の連通開口２５ｂに対応するように配置されている。
【００４８】
より具体的には、スクロールケーシング３２ｂは、本実施形態において、樹脂製の部材であり、羽根車３１ｂを下方から覆うスクロール下部材４５ｂと、羽根車３１ｂを上方から覆うスクロール上部材４４ｂとからなる分割構造を有している。そして、これらの部材４４ｂ、４５ｂを組み付けることによって、２つのスクロール吸入口３４ｂを有し羽根車３１ｂを収容するスクロール本体部３６ｂと、スクロール吹出口３５ｂを有しスクロール本体部３６ｂに連通するスクロール出口部３７ｂとが構成されている。スクロール本体部３６ｂには、各スクロール吸入口３４ｂの周囲を囲む２つのベルマウス部３８ｂが形成されている。ベルマウス部３８ｂは、その内周側の端部が羽根車３１ｂ側に向かってベル形状に湾曲している。スクロール出口部３７ｂは、スクロール本体部３６ｂの仕切部材２４側の部分に連通する角筒形状の部分であり、その先端部が仕切部材２４の平板部２５に形成された連通開口２５ｂに挿入されて、仕切部材２４の平板部２５より熱交換器４側に突出している。スクロール出口部３７ｂは、ユニットケーシング２の平面視において、平板部２５にほぼ直交する方向、すなわち、回転軸Ｏに直交する方向に真っ直ぐに延びており、ユニットケーシング２の側面視において、すこし下方に向けて空気を吹き出すようにやや下方に傾斜している。
【００４９】
尚、羽根車及びスクロールケーシングは、本実施形態において４つあるが、これに限定されるものではなく、１つや２つ、又は４つ以上であってもよい。また、羽根車及びスクロールケーシングは、本実施形態において、両吸込タイプであるが、片吸込タイプであってもよい。
モータ３３は、本実施形態において、ユニットケーシング２の平面視において、スクロールケーシング３２ｂとスクロールケーシング３２ｃとの間（すなわち、スクロールケーシング３２ｂ及びスクロールケーシング３２ｃの回転軸Ｏ方向側）に配置されており、支持部材３３ａを介して仕切部材２４やユニットケーシング２に固定されている。このため、スクロールケーシング３２ｂとスクロールケーシング３２ｃとの間隔のみが、他のスクロールケーシング間の間隔（具体的には、スクロールケーシング３２ａとスクロールケーシング３２ｂとの間隔やスクロールケーシング３２ｃとスクロールケーシング３２ｄとの間隔）に比べて大きくなっている。そして、このモータ３３には、４つの羽根車３１ａ〜３１ｄが全て連結されており、一括して回転駆動できるようになっている。
【００５０】
この遠心送風機３を作動させることによって、ユニット吸入口２ａを介してユニットケーシング２の送風機室Ｓ１内に空気が吸入され、送風機室Ｓ１内に吸入された空気がスクロール吸入口３４ａ〜３４ｄを通じて各スクロールケーシング３２ａ〜３２ｄ内に吸入され、各羽根車３１ａ〜３１ｄの内周側から外周側に吹き出される。この羽根車３１ａ〜３１ｄの外周側に吹き出されて昇圧された空気は、仕切部材２４の各連通開口２５ａ〜２５ｄに対応するように配置されたスクロールケーシング３２ａ〜３２ｄの各スクロール吹出口３５ａ〜３５ｄから熱交換器室Ｓ２内に吹き出されることになる。
【００５１】
＜熱交換器＞
熱交換器４は、熱交換器室Ｓ２内に配置されており、送風機室Ｓ１内で遠心送風機３によって昇圧されてスクロールケーシング３２ａ〜３２ｄのスクロール吹出口３５ａ〜３５ｄから熱交換器室Ｓ２内に吹き出された空気の冷却又は加熱を行うための機器である。熱交換器４は、本実施形態において、クロスフィンチューブタイプの熱交換器であり、仕切部材２４の平板部２５のほぼ全面に対向し、かつ、平行に配置されている。このため、熱交換器４は、スクロール出口部３７ａ〜３７ｄのスクロール吹出口３５ａ〜３５ｄに対向するように配置されていることになる。また、熱交換器４は、その上部がユニット吹出口２ｂ側に傾斜するように配置されている。そして、熱交換器４の下側には、ドレンパン２８が配置されており、熱交換器４で発生した結露水を受けることができるようになっている。
【００５２】
これにより、スクロール吹出口３５ａ〜３５ｄから熱交換器室Ｓ２内に吹き出された空気は、熱交換器４の伝熱管内を流れる冷媒と熱交換を行うことによって冷却又は加熱されて、ユニット吹出口２ｂから室内に吹き出されるようになっている。
以上の構成を備えた空気調和装置１では、壁部６１ａ〜６１ｄがさらに設けられている。以下、これらの壁部６１ａ〜６１ｄについて、図１〜図４を用いて説明する。ここで、図３は、図２の拡大図であって、羽根車３１ｂ及びスクロールケーシング３２ｂ付近の構造を示す図である。図４は、図１の拡大図であって、羽根車３１ｂ及びスクロールケーシング３２ｂ付近の構造を示す図である。
【００５３】
＜壁部＞
壁部６１ａ〜６１ｄは、図２、図３及び図４に示されるように、各スクロール出口部３７ａ〜３７ｄの外側に設けられた仕切部材２４の平板部２５の熱交換器４側に突出する部分である。尚、壁部６１ａ〜６１ｄは、本実施形態において、すべて同様の構造であるため、ここでは、壁部６１ｂの構成のみを説明し、壁部６１ａ、６１ｃ、６１ｄの構成については、壁部６１ｂの各部を示す符号ｂの代わりに符号ａ、ｃ、ｄを付して、各部の説明を省略する。
【００５４】
壁部６１ｂは、本実施形態において、筒状のスクロール出口部３７ｂの外側を囲むように設けられた筒状の部分であり、スクロール出口部３７ｂの両側面部４６、４７の側方にそれぞれ配置された側方壁部６２、６３と、スクロール出口部３７ｂの上面部４８の上方に配置された上方壁部６４と、スクロール出口部３７ｂの下面部４９の下方に配置された下方壁部６６とを有している。そして、壁部６１ｂ（具体的には、側方壁部６２、６３、上方壁部６４及び下方壁部６６）は、その送風機室Ｓ１側の端部が仕切部材２４の平板部２５の連通開口２５ｂの外側の位置に当接しており、そこから熱交換器４側に向かって突出するように延びている。本実施形態の空気調和装置１では、このような壁部６１ｂを設けることによって、スクロール吹出口３５ｂの外側近傍にスクロール吹出口３５ｂから熱交換器室Ｓ２内に吹き出される空気の圧力よりも圧力の低い部分（以下、負圧部Ｓ３とする）が形成される。尚、壁部６１ｂは、本実施形態のように、スクロール吹出口３５ｂの外側の全周に設ける必要はなく、スクロール吹出口３５ｂの外側近傍のうち、負圧部Ｓ３を形成しようとする部分のみに設けられていてもよい。例えば、スクロール吹出口３５ｂの側方にのみ負圧部Ｓ３を形成しようとする場合には、上方壁部６４及び下方壁部６６を設けずに、側方壁部６２、６３のみを設けるようにすればよい。
【００５５】
また、本実施形態において、スクロール出口部３７ｂと平板部２５の熱交換器４側の面とが交わる部分と、壁部６１ｂと平板部２５の熱交換器４側の面とが交わる部分との距離ｃは、羽根車３１ｂのロータ幅Ｗの０．５倍以下である。より具体的には、スクロール出口部３７ｂの側面部４６の外面（すなわち、壁部６１ｂの側方壁部６２側の面）と平板部２５の熱交換器４側の面とが交わる部分と、壁部６１ｂの側方壁部６２の内面（すなわち、スクロール出口部３７ｂの側面部４６の側の面）と平板部２５の熱交換器４側の面とが交わる部分との距離ｃ、スクロール出口部３７ｂの側面部４７の外面（すなわち、壁部６１ｂの側方壁部６３側の面）と平板部２５の熱交換器４側の面とが交わる部分と、壁部６１ｂの側方壁部６３の内面（すなわち、スクロール出口部３７ｂの側面部４７側の面）と平板部２５の熱交換器４側の面とが交わる部分との距離ｃ、スクロール出口部３７ｂの上面部４８の外面（すなわち、壁部６１ｂの上方壁部６４側の面）と平板部２５の熱交換器４側の面とが交わる部分と、壁部６１ｂの上方壁部６４の内面（すなわち、スクロール出口部３７ｂの上面部４８の側の面）と平板部２５の熱交換器４側の面とが交わる部分との距離ｃ、及び、スクロール出口部３７ｂの下面部４９の外面（すなわち、壁部６１ｂの下方壁部６５側の面）と平板部２５の熱交換器４側の面とが交わる部分と、壁部６１ｂの下方壁部６５の内面（すなわち、スクロール出口部３７ｂの下面部４９の側の面）と平板部２５の熱交換器４側の面とが交わる部分との距離ｃは、羽根車３１ｂのロータ幅Ｗの０．５倍以下である。本実施形態の空気調和装置１では、距離ｃをロータ幅Ｗの０．５倍以下にすることによって、スクロール吹出口３５ｂの外側近傍に負圧部Ｓ３を確実に形成させることができる。尚、壁部６１ｂが平板部２５に当接していない場合には、壁部６１ｂの平板部２５側の端部を延長した際に平板部２５の熱交換器４側の面とが交わる部分が、壁部６１ｂと平板部２５の熱交換器４側の面とが交わる部分に該当することになる。
【００５６】
また、本実施形態において、平板部２５の熱交換器４側の面からスクロール出口部３７ｂの熱交換器４側の端部までの距離ａは、０より大きく、羽根車３１ｂのロータ径Ｄの０．３倍以下である。より具体的には、平板部２５の熱交換器４側の面からスクロール出口部３７ｂの両側面部４６、４７の熱交換器４側の端部までの距離ａ、平板部２５の熱交換器４側の面からスクロール出口部３７ｂの上面部４８の熱交換器４側の端部までの距離ａ、及び、平板部２５の熱交換器４側の面からスクロール出口部３７ｂの下面部４９の熱交換器４側の端部までの距離ａは、０より大きく、羽根車３１ｂのロータ径Ｄの０．３倍以下である。本実施形態の空気調和装置１では、距離ａを０より大きくする、すなわち、スクロール出口部３７ｂの熱交換器４側の端部を熱交換器室Ｓ２側に突出させることによって、スクロール吹出口３５ｂの外側近傍にスクロール出口部３７ｂの熱交換器４側の端部と壁部６１ｂとに挟まれた空間からなる負圧部Ｓ３を形成することができる。
【００５７】
また、本実施形態において、平板部２５の熱交換器４側の面から壁部６１ｂの熱交換器４側の端部までの距離ｂは、距離ａ以上であり、羽根車３１ｂのロータ径Ｄの０．５倍以下である。より具体的には、平板部２５の熱交換器４側の面から壁部６１ｂの側方壁部６２、６３の熱交換器４側の端部までの距離ｂ、平板部２５の熱交換器４側の面から壁部６１ｂの上方壁部６４の熱交換器４側の端部までの距離ｂ、及び、平板部２５の熱交換器４側の面から壁部６１ｂの下方壁部６４の熱交換器４側の端部までの距離ｂは、距離ａ以上であり、羽根車３１ｂのロータ径Ｄの０．５倍以下である。本実施形態の空気調和装置１では、距離ｂを距離ａ以上、すなわち、壁部６１ｂの端部をスクロール出口部３７ｂの熱交換器４側の端部よりも熱交換器４側に突出させることによって、スクロール出口部３７ｂの熱交換器４側の端部と壁部６１ｂとに挟まれた空間からなる負圧部Ｓ３の圧力とスクロール吹出口３５ｂから熱交換器室Ｓ２内に吹き出される空気の圧力との圧力差を大きくすることができる。
【００５８】
また、本実施形態において、壁部６１ｂと平板部２５の熱交換器４側の面とがなす角度θは、３０°より大きく、９０°以下である。より具体的には、壁部６１ｂの側方壁部６２、６３の内面（すなわち、スクロール出口部３７ｂの側面部４６、４７側の面）と、平板部２５の熱交換器４側の面であって壁部６１ｂの側方壁部６２、６３の外側の部分とがなす角度θ、壁部６１ｂの上方壁部６４の内面（すなわち、スクロール出口部３７ｂの上面部４８の側の面）と、平板部２５の熱交換器４側の面であって壁部６１ｂの上方壁部６４の外側の部分とがなす角度θ、及び、壁部６１ｂの下方壁部６５の内面（すなわち、スクロール出口部３７ｂの下面部４９の側の面）と、平板部２５の熱交換器４側の面であって壁部６１ｂの下方壁部６５の外側の部分とがなす角度θは、３０°より大きく、９０°以下である。本実施形態の空気調和装置１では、壁部６１ｂと平板部２５の熱交換器４側の面とがなす角度を３０°より大きくすることによって、スクロール吹出口３５ｂの外側近傍に負圧部Ｓ３を確実に形成させることができる。
【００５９】
（２）空気調和装置の動作
次に、本実施形態の空気調和装置１の動作について、図１〜図４を用いて説明する。
モータ３３を起動して遠心送風機３を作動させることによって、ユニット吸入口２ａを介してユニットケーシング２の送風機室Ｓ１内に空気が吸入され、送風機室Ｓ１内に吸入された空気がスクロール吸入口３４ａ〜３４ｄを通じて各スクロールケーシング３２ａ〜３２ｄ内に吸入され、羽根車３１ａ〜３１ｄの内周側から外周側に吹き出される。この羽根車３１ａ〜３１ｄの外周側に吹き出されて昇圧された空気は、仕切部材２４の連通開口２５ａ〜２５ｄに対応するように配置されたスクロール吹出口３５ａ〜３５ｄから熱交換器室Ｓ２内に吹き出される。そして、スクロール吹出口３５ａ〜３５ｄから熱交換器室Ｓ２内に吹き出された空気は、熱交換器４の伝熱管内を流れる冷媒と熱交換を行うことによって冷却又は加熱されて、ユニット吹出口２ｂから室内に吹き出される。
【００６０】
ここで、本実施形態の空気調和装置１では、スクロール出口部３７ａ〜３７ｄの外側に平板部２５の熱交換器４側に突出する壁部６１ａ〜６１ｄが設けられているため、スクロール吹出口３５ａ〜３５ｄの外側近傍にスクロール吹出口３５ａ〜３５ｄから熱交換器室Ｓ２内に吹き出される空気の圧力よりも圧力の低い負圧部Ｓ３が形成される。そして、スクロール吹出口３５ａ〜３５ｄから熱交換器室Ｓ２内に吹き出される空気（図３及び図４の矢印Ｆ参照）は、この負圧部Ｓ３に引き込まれるように流れるようになるため、スクロール出口部に壁部が設けられていない場合（スクロール出口部に壁部が設けられていない場合の空気の流れを示す矢印ｆ参照）に比べて、スクロール吹出口３５ａ〜３５ｄの外側へ拡散される。これにより、送風能力の低下を抑えつつ、熱交換器４を通過する空気の偏流を抑えることができるようになっている。
【００６１】
また、本実施形態の空気調和装置１では、距離ｃを羽根車３１ａ〜３１ｄのロータ幅Ｗの０．５倍以下にすることによって、スクロール吹出口３５ａ〜３５ｄの外側近傍に負圧部Ｓ３を確実に形成させることができるようになっている。
また、本実施形態の空気調和装置１では、距離ａを０より大きくする、すなわち、スクロール出口部３７ａ〜３７ｄの熱交換器４側の端部を熱交換器室Ｓ２側に突出させることによって、スクロール吹出口３５ａ〜３５ｄから熱交換器室Ｓ２内に吹き出される空気をスクロール吹出口３５ａ〜３５ｄの外側へ拡散させる効果の大きい、スクロール吹出口３５ａ〜３５ｄの外側近傍にスクロール出口部３７ａ〜３７ｄの熱交換器４側の端部と壁部６１ａ〜６１ｄとに挟まれた空間からなる負圧部Ｓ３を形成することができるようになっている。しかも、距離ａを羽根車３１ａ〜３１ｄのロータ径Ｄの０．３倍以下にすることによって、スクロール吹出口３５ａ〜３５ｄと熱交換器４との間に、スクロール吹出口３５ａ〜３５ｄから熱交換器室Ｓ２内に吹き出される空気がスクロール吹出口３５ａ〜３５ｄの外側に拡散するのに十分な距離を確保することができるようになっている。
【００６２】
また、本実施形態の空気調和装置１では、距離ｂを距離ａ以上、すなわち、壁部６１ａ〜６１ｄの端部をスクロール出口部３７ａ〜３７ｄの熱交換器４側の端部よりも熱交換器４側に突出させることによって、スクロール出口部３７ａ〜３７ｄの熱交換器４側の端部と壁部６１ａ〜６１ｄとに挟まれた空間からなる負圧部Ｓ３の圧力とスクロール吹出口３５ａ〜３５ｄから熱交換器室Ｓ２内に吹き出される空気の圧力との圧力差を大きくすることができるため、スクロール吹出口３５ａ〜３５ｄから熱交換器室Ｓ２内に吹き出される空気をスクロール吹出口３５ａ〜３５ｄの外側へ拡散させる効果を高めることができるようになっている。しかも、距離ｂを羽根車３１ａ〜３１ｄのロータ径Ｄの０．５倍以下にすることによって、負圧部Ｓ３によってスクロール吹出口３５ａ〜３５ｄの外側に向かって拡散しようとする空気の流れを壁部６１ａ〜６１ｄによって極力制限しないようにすることができるため、スクロール吹出口３５ａ〜３５ｄから熱交換器室Ｓ２内に吹き出される空気を壁部６１ａ〜６１ｄの外側までさらに拡散させることができるようになっている。
【００６３】
また、本実施形態の空気調和装置１では、角度θを３０°より大きくすることによって、スクロール吹出口３５ａ〜３５ｄの外側近傍に負圧部Ｓ３を確実に形成させることができる。しかも、角度θを９０°以下にすることによって、スクロール吹出口３５ａ〜３５ｄから熱交換器室Ｓ２内に吹き出される空気がスクロール吹出口３５ａ〜３５ｄの外側へ確実に拡散されるようにできるようになっている。
【００６４】
このように、本実施形態の空気調和装置１では、熱交換器４が仕切部材２４の平板部２５のほぼ全面に対向しているのに対して、平板部２５の連通開口２５ａ〜２５ｄ、すなわち、スクロールケーシング３２ａ〜３２ｄのスクロール吹出口３５ａ〜３５ｄが仕切部材２４の平板部２５に部分的に設けられているだけであるが、上述のような壁部６１ａ〜６１ｄを設けることによって、スクロール出口部３７ａ〜３７ｄのサイズを大きくすることなく、スクロール吹出口３５ａ〜３５ｄから熱交換器室Ｓ２内に吹き出される空気を、スクロール吹出口３５ａ〜３５ｄの外側に拡散させて熱交換器４を通過させることができて、熱交換器４を通過する空気に偏流を抑えることができるようになっている。
【００６５】
しかも、壁部６１ａ〜６１ｄは、仕切部材２４の平板部２５の熱交換器室Ｓ２側に設けられているため、スクロール吸入口３４ａ〜３４ｄの邪魔になったり、スクロール出口部３７ａ〜３７ｄにおける動圧回収がされにくくなるというような問題も生じることもなく、さらに、送風機室Ｓ１内のスペースに余裕がない場合やユニットケーシング２をコンパクトにしなければならない場合において、熱交換器４を通過する空気に偏流を抑える手段として効果的である。
【００６６】
（３）変形例１
また、壁部６１ａ〜６１ｄの熱交換器４側の端部に、セレーションを設けるようにしてもよい。壁部６１ｂを例にして説明すると、図５に示されるように、壁部６１ｂの熱交換器４側の端部に三角波形状等のセレーション７１を設けることが可能である（図５では、セレーション７１が側方壁部６２に設けられた図面が示されているが、他の壁部６３〜６５に同様のセレーション７１を設けてもよい）。
【００６７】
このように、壁部６１ａ〜６１ｄの熱交換器４側の端部にセレーション７１を設けることによって、壁部６１ａ〜６１ｄの熱交換器４側の端部におけるスクロール吹出口３５ａ〜３５ｄから熱交換器室Ｓ２内に吹き出される空気の圧力変動を抑えることができる。これにより、壁部６１ａ〜６１ｄの熱交換器４側の端部における圧力変動による騒音の発生を抑えることができる。
【００６８】
（４）変形例２
また、壁部６１ａ〜６１ｄの内面、すなわち、スクロール出口部３７ａ〜３７ｄ側の面に、複数のディンプルを設けるようにしてもよい。壁部６１ｂを例にして説明すると、図６に示されるように、壁部６１ｂの内面、すなわち、スクロール出口部３７ｂ側の面に複数のディンプル７２を設けることが可能である（図６では、複数のディンプル７２が側方壁部６２に設けられた図面が示されているが、他の壁部６３〜６５に同様の複数のディンプル７２を設けてもよい）。
【００６９】
このように、壁部６１ａ〜６１ｄの内面、すなわち、スクロール出口部３７ａ〜３７ｄ側の面に、複数のディンプル７２を設けることによって、スクロール吹出口３５ａ〜３５ｄから熱交換器室Ｓ２内に吹き出される空気を、壁部６１ａ〜６１ｄのスクロール出口部３７ａ〜３７ｄ側の面に沿わせることができる。これにより、スクロール吹出口３５ａ〜３５ｄから熱交換器室Ｓ２内に吹き出される空気をスクロール吹出口３５ａ〜３５ｄの外側へ拡散させる効果を高めることができる。
【００７０】
また、壁部６１ａ〜６１ｄの内面、すなわち、スクロール出口部３７ａ〜３７ｄ側の面に複数のディンプルを設ける場合と同様な効果を得るために、壁部６１ａ〜６１ｄに、複数の貫通孔７３を設けるようにしてもよい。壁部６１ｂを例にして説明すると、図７に示されるように、壁部６１ｂに複数の貫通孔７３を設けることが可能である（図７では、複数の貫通孔７３が側方壁部６２に設けられた図面が示されているが、他の壁部６３〜６５に同様の複数の貫通孔７３を設けてもよい）。
【００７１】
（５）変形例３
また、変形例１にかかるセレーションと、変形例２にかかる複数のディンプル又は貫通孔とを同時に、壁部６１ａ〜６１ｄに設けるようにしてもよい。壁部６１ｂを例にして説明すると、図８に示されるように、壁部６１ｂの熱交換器４側の端部に三角波形状等のセレーション７１を設けるとともに、壁部６１ｂの内面、すなわち、スクロール出口部３７ｂ側の面に複数のディンプル７２を設けることが可能である（図８では、セレーション７１が側方壁部６２に設けられ、そして、複数のディンプル７２が側方壁部６２に設けられた図面が示されているが、他の壁部６３〜６５に同様のセレーション７１及び複数のディンプル７２を設けてもよい。また、複数のディンプル７２の代わりに、複数の貫通孔を設けてもよい）。
【００７２】
これにより、変形例１及び変形例２の両方の効果を得ることができる。
（６）変形例４
また、上述の第１実施形態（変形例１〜３を含む）の空気調和装置１は、羽根車３１ａ〜３１ｄが仕切部材２４の平板部２５に沿う回転軸Ｏを中心として回転するように配置されており、羽根車３１ａ〜３１ｄを回転駆動するモータ３３が送風機室Ｓ１内のスクロールケーシング３２ａ〜３２ｄの回転軸Ｏ方向側に配置されている。
【００７３】
このため、スクロールケーシング３２ａ〜３２ｄのスクロール吹出口３５ａ〜３５ｄから熱交換器室Ｓ２内に吹き出される空気が、主として熱交換器４のうち平板部２５を挟んでスクロールケーシング３２ａ〜３２ｄに対向する部分を通過してしまい、熱交換器４のうち平板部２５を挟んでモータ３３に対向する部分（具体的には、スクロールケーシング３２ｂとスクロールケーシング３２ｃとの間の部分）を通過しにくくなってしまうため、熱交換器４を通過する空気に偏流が生じて、熱交換器４における通風抵抗が増加したり、送風能力及び熱交換能力が低下するという問題が生じやすくなっている。
【００７４】
これに対して、本変形例の空気調和装置１では、図９に示されるように、スクロールケーシング３２ｂ、３２ｃのスクロール出口部３７ｂ、３７ｃが、回転軸Ｏ方向のサイズＬを大きくすることなく、モータ３３側に傾斜しながら連通開口２５ｂ、２５ｃに向かって延びているため、熱交換器室Ｓ２内に吹き出される空気が、熱交換器４のうち平板部２５を挟んでモータ３３に対向する部分をさらに通過しやすくなり、熱交換器４を通過する空気の偏流を抑えることができる。しかも、スクロール出口部３７ｂ、３７ｃの回転軸Ｏ方向のサイズＬを大きくしないようにしているため、スクロール出口部３７ｂ、３７ｃにおける動圧回収がされにくくなる等の不具合も生じにくく、送風性能の低下を抑えることができる。
【００７５】
＜第２実施形態＞
（１）空気調和装置の基本構造
図１０及び図１１に、本発明にかかる空気調和装置の第２実施形態としてのダクトタイプの空気調和装置１０１を示す。ここで、図１０は、空気調和装置１０１の側面図（図１１のＡ矢視図）である。図１１は、空気調和装置１０１の平面断面図である。この空気調和装置１０１は、空調室の天井裏の空間に配置されたダクト構造のものである。この空気調和装置１０１は、室外に配置される室外ユニット（図示せず）に冷媒連絡配管（図示せず）を介して接続されている。
空気調和装置１０１は、主として、ユニットケーシング１０２と、遠心送風機１０３と、熱交換器１０４とを備えている。
【００７６】
＜ユニットケーシング＞
ユニットケーシング２は、全体として側方に長い薄型箱形状の部材であり、その下面１０２ａ及び背面１０２ｂ（図１１の紙面上側の面）にユニット吸入口１０２ｇ、１０２ｈを有し遠心送風機１０３が配置される送風機室Ｓ１０１と、前面１０２ｃ（図１１の紙面下側の面）にユニット吹出口１０２ｉを有し熱交換器１０４が配置される熱交換器室Ｓ１０２とが形成されている。尚、ユニット吸入口１０２ｇ、１０２ｈは、天井裏の空間における設置条件に応じて、いずれか一方を選択して用いることができるようになっている。送風機室Ｓ１０１及び熱交換器室Ｓ１０２は、側方に長く縦向きにユニットケーシング１０２内に配置された板状の部材からなる仕切部材１２４によって、ユニットケーシング１０２内の空間を前後に仕切られることによって形成されている。より具体的には、仕切部材１２４は、本実施形態において、ユニットケーシング１０２の前面及び背面に平行（すなわち、ユニットケーシング１０２の側面に直交）する平板部１２５を有している。そして、この平板部１２５には、遠心送風機１０３を構成する２つのスクロールケーシング１３２ａ、１３２ｂの各スクロール吹出口１３５ａ、１３５ｂ（後述）に対応しており、送風機室Ｓ１０１と熱交換器室Ｓ１０２とを連通する２つの連通開口１２５ａ、１２５ｂが形成されている。２つの連通開口１２５ａ、１２５ｂは、平板部１２５の長手方向に並んで配置されており、本実施形態において、横長の長方形状の角孔である。
【００７７】
＜遠心送風機＞
遠心送風機１０３は、送風機室Ｓ１０１内に配置されており、ユニット吸入口１０２ｇ又はユニット吸入口１０２ｈから送風機室Ｓ１０１内に空気を吸入して昇圧し、仕切部材１２４の連通開口１２５ａ、１２５ｂを通じて熱交換器室Ｓ１０２に吹き出すための機器である。そして、遠心送風機１０３は、主として、２つの羽根車１３１ａ、１３１ｂと、各羽根車１３１ａ、１３１ｂを収容する２つのスクロールケーシング１３２ａ、１３２ｂと、羽根車１３１ａ、１３１ｂを回転駆動するモータ１３３とを有している。
【００７８】
まず、羽根車１３１ａ、１３１ｂについて、図１０及び図１１を用いて説明する。羽根車１３１ａ、１３１ｂは、本実施形態においては、両吸込タイプのシロッコファンロータであり、その回転軸Ｏがユニットケーシング１０２の側方を向くように（すなわち、仕切部材１２４の平板部１２５に沿うように）並んで配置されている。尚、羽根車１３１ａと羽根車１３１ｂとは同様の構造であるため、ここでは、羽根車１３１ａの構成のみを説明し、羽根車１３１ｂの構成については、羽根車１３１ａの各部を示す符号ａの代わりに符号ｂを付して、各部の説明を省略する。
【００７９】
羽根車１３１ａは、主として、回転軸Ｏを中心として回転する円板状の主板１４１ａと、主板１４１ａの外周部の両面に回転軸Ｏを中心として環状に配置されており各一端が主板１４１ａに固定された多数枚の翼１４２ａと、主板１４１ａの回転軸Ｏ方向両側に配置されており多数枚の翼１４２ａの他端を結ぶ１対の側板１４３ａとを有している。
次に、スクロールケーシング１３２ａ、１３２ｂについて説明する。尚、スクロールケーシング１３２ａとスクロールケーシング１３２ｂとは同様の構造であるため、ここでは、スクロールケーシング１３２ａの構成のみを説明し、スクロールケーシング１３２ｂの構成については、スクロールケーシング１３２ａの各部を示す符号ａの代わりに符号ｂを付して、各部の説明を省略する。
【００８０】
スクロールケーシング１３２ａは、両吸込タイプの遠心送風機を構成するために両側面に形成された２つのスクロール吸入口１３４ａと、スクロール吸入口１３４ａに交差する方向に空気を吹き出すように形成されたスクロール吹出口１３５ａとを有している。ここで、スクロール吸入口１３４ａは、羽根車１３１ａの回転軸Ｏ方向に向かって開口している。このため、ユニット吸入口１０２ｇ及びユニット吸入口１０２ｈは、スクロール吸入口１３４ａの開口方向に交差する方向（より具体的には、直交方向）に向かって開口していることになる。また、スクロール吹出口１３５ａは、仕切部材１２４の連通開口１２５ａに対応するように配置されている。
【００８１】
より具体的には、スクロールケーシング１３２ａは、本実施形態において、樹脂製の部材であり、羽根車１３１ａを下方から覆うスクロール下部材１４５ａと、羽根車１３１ａを上方から覆うスクロール上部材１４４ａとからなる分割構造を有している。そして、これらの部材１４４ａ、１４５ａを組み付けることによって、２つのスクロール吸入口１３４ａを有し羽根車１３１ａを収容するスクロール本体部１３６ａと、スクロール吹出口１３５ａを有しスクロール本体部１３６ａに連通するスクロール出口部１３７ａとが構成されている。スクロール本体部１３６ａには、各スクロール吸入口１３４ａの周囲を囲む２つのベルマウス部１３８ａが形成されている。ベルマウス部１３８ａは、その内周側の端部が羽根車１３１ａ側に向かってベル形状に湾曲している。スクロール出口部１３７ａは、スクロール本体部１３６ａの仕切部材１２４側の部分に連通する角筒形状の部分であり、その先端部が仕切部材１２４の平板部１２５に形成された連通開口１２５ｂに挿入されて、仕切部材１２４の平板部１２５より熱交換器１０４側に突出している。スクロール出口部１３７ａは、ユニットケーシング１０２の平面視において、平板部１２５にほぼ直交する方向、すなわち、回転軸Ｏに直交する方向に真っ直ぐに延びており、ユニットケーシング１０２の側面視において、すこし下方に向けて空気を吹き出すようにやや下方に傾斜している。
【００８２】
モータ１３３は、本実施形態において、ユニットケーシング１０２の平面視において、スクロールケーシング１３２ａとスクロールケーシング１３２ｂとの間（すなわち、スクロールケーシング１３２ａ及びスクロールケーシング１３２ｂの回転軸Ｏ方向側）に配置されており、支持部材１３３ａを介して仕切部材１２４やユニットケーシング１０２に固定されている。このため、スクロールケーシング１３２ａとスクロールケーシング１３２ｂとの間には、モータ１３３のサイズに応じた隙間が形成された状態になっている。そして、このモータ１３３には、２つの羽根車１３１ａ、１３１ｂの両方が連結されており、一括して回転駆動できるようになっている。
【００８３】
この遠心送風機１０３を作動させることによって、ユニット吸入口１０２ｇ又はユニット吸入口１０２ｈを介してユニットケーシング１０２の送風機室Ｓ１０１内に空気が吸入され、送風機室Ｓ１０１内に吸入された空気がスクロール吸入口１３４ａ、１３４ｂを通じて各スクロールケーシング１３２ａ、１３２ｂ内に吸入され、各羽根車１３１ａ、１３１ｂの内周側から外周側に吹き出される。この羽根車１３１ａ、１３１ｂの外周側に吹き出されて昇圧された空気は、仕切部材１２４の各連通開口１２５ａ、１２５ｂに対応するように配置されたスクロールケーシング１３２ａ、１３２ｂの各スクロール吹出口１３５ａ、１３５ｂから熱交換器室Ｓ１０２内に吹き出されることになる。
【００８４】
＜熱交換器＞
熱交換器１０４は、熱交換器室Ｓ１０２内に配置されており、送風機室Ｓ１０１内で遠心送風機１０３によって昇圧されてスクロールケーシング１３２ａ、１３２ｂのスクロール吹出口１３５ａ、１３５ｂから熱交換器室Ｓ１０２内に吹き出された空気の冷却又は加熱を行うための機器である。熱交換器１０４は、本実施形態において、クロスフィンチューブタイプの熱交換器であり、仕切部材１２４の平板部１２５のほぼ全面に対向し、かつ、平行に配置されている。このため、熱交換器１０４は、スクロール出口部１３７ａ、１３７ｂのスクロール吹出口１３５ａ、１３５ｂに対向するように配置されていることになる。また、熱交換器１０４は、その上部がユニット吹出口１０２ｉ側に傾斜するように配置されている。そして、熱交換器１０４の下側には、ドレンパン１２８が配置されており、熱交換器１０４で発生した結露水を受けることができるようになっている。
【００８５】
これにより、スクロール吹出口１３５ａ、１３５ｂから熱交換器室Ｓ１０２内に吹き出された空気は、熱交換器１０４の伝熱管内を流れる冷媒と熱交換を行うことによって冷却又は加熱されて、ユニット吹出口１０２ｉから室内に吹き出されるようになっている。
以上の構成を備えた空気調和装置１０１では、壁部１６１ａ、１６１ｂがさらに設けられている。以下、これらの壁部１６１ａ、１６１ｂについて、図１０〜図１２を用いて説明する。ここで、図１２は、図１１の拡大図であって、羽根車１３１ａ及びスクロールケーシング１３２ａ付近の構造を示す図である。
【００８６】
＜壁部＞
壁部１６１ａ、１６１ｂは、図１１及び図１２に示されるように、各スクロール出口部１３７ａ、１３７ｂの外側に設けられた仕切部材１２４の平板部１２５の熱交換器１０４側に突出する部分である。尚、壁部１６１ａと壁部１６１ｂとは、本実施形態において、同様の構造であるため、ここでは、壁部１６１ａの構成を主に説明し、壁部１６１ｂの構成については、壁部１６１ａの各部を示す符号ａの代わりに符号ｂを付して、各部の説明を省略する。
【００８７】
壁部１６１ａは、本実施形態において、筒状のスクロール出口部１３７ａの側面部１４６の側方に配置されている。そして、壁部１６１ａは、その送風機室Ｓ１０１側の端部が仕切部材１２４の平板部１２５の連通開口１２５ｂの外側の位置に当接しており、そこから熱交換器１０４側に向かって突出するように延びている。
本実施形態の空気調和装置１０１では、このような壁部１６１ａを設けることによって、スクロール吹出口１３５ａの外側近傍にスクロール吹出口１３５ａから熱交換器室Ｓ１０２内に吹き出される空気の圧力よりも圧力の低い部分（以下、負圧部Ｓ１０３とする）が形成される。
【００８８】
具体的には、壁部１６１ａは、スクロール出口部１３７ａの側面部１４６の側方の位置、すなわち、スクロール出口部１３７ａの回転軸Ｏ方向の外側に配置されており、熱交換器室Ｓ１０２内において、スクロール吹出口１３５ａの回転軸Ｏ方向の外側近傍に負圧部Ｓ１０３が形成される。しかも、壁部１６１ａは、スクロール出口部１３７ａの外側のうち、隣り合うスクロールケーシングであるスクロールケーシング１３２ｂ側に配置されているため、熱交換器室Ｓ１０２内において、スクロール吹出口１３５ａのスクロールケーシング１３２ｂ側に負圧部Ｓ１０３が形成されるようになっている。また、壁部１６１ａは、スクロール出口部１３７ａの外側のうち、モータ１３３側に配置されているため、熱交換器室Ｓ１０２内において、スクロール吹出口１３５ａのモータ１３３側に負圧部Ｓ１０３が形成されるようになっている。
【００８９】
また、本実施形態において、スクロール出口部１３７ａと平板部１２５の熱交換器１０４側の面とが交わる部分と、壁部１６１ａと平板部１２５の熱交換器１０４側の面とが交わる部分との距離ｃは、羽根車１３１ｂのロータ幅Ｗの０．５倍以下である。より具体的には、スクロール出口部１３７ａの側面部１４６の外面（すなわち、壁部１６１ａ側の面）と平板部１２５の熱交換器１０４側の面とが交わる部分と、壁部１６１ａの内面（すなわち、スクロール出口部１３７ａの側面部１４６側の面）と平板部１２５の熱交換器１０４側の面とが交わる部分との距離ｃは、羽根車１３１ａのロータ幅Ｗの０．５倍以下である。本実施形態の空気調和装置１０１では、距離ｃをロータ幅Ｗの０．５倍以下にすることによって、スクロール吹出口１３５ａの外側近傍に負圧部Ｓ１０３を確実に形成させることができる。尚、壁部１６１ａが平板部１２５に当接していない場合には、壁部１６１ａの平板部１２５側の端部を延長した際に平板部１２５の熱交換器１０４側の面とが交わる部分が、壁部１６１ａと平板部１２５の熱交換器１０４側の面とが交わる部分に該当することになる。
【００９０】
また、本実施形態において、平板部１２５の熱交換器１０４側の面からスクロール出口部１３７ａの熱交換器１０４側の端部までの距離ａは、０より大きく、羽根車１３１ａのロータ径Ｄの０．３倍以下である。より具体的には、平板部１２５の熱交換器１０４側の面からスクロール出口部１３７ａの側面部１４６の熱交換器１０４側の端部までの距離ａは、０より大きく、羽根車１３１ａのロータ径Ｄの０．３倍以下である。本実施形態の空気調和装置１０１では、距離ａを０より大きくする、すなわち、スクロール出口部１３７ａの熱交換器１０４側の端部を熱交換器室Ｓ２側に突出させることによって、スクロール吹出口１３５ａの外側近傍にスクロール出口部１３７ａの熱交換器１０４側の端部と壁部１６１ａとに挟まれた空間からなる負圧部Ｓ１０３を形成することができる。
【００９１】
また、本実施形態において、平板部１２５の熱交換器１０４側の面から壁部１６１ａの熱交換器１０４側の端部までの距離ｂは、距離ａ以上であり、羽根車１３１ａのロータ径Ｄの０．５倍以下である。より具体的には、平板部１２５の熱交換器１０４側の面から壁部１６１ａの熱交換器１０４側の端部までの距離ｂは、距離ａ以上であり、羽根車１３１ａのロータ径Ｄの０．５倍以下である。本実施形態の空気調和装置１では、距離ｂを距離ａ以上、すなわち、壁部１６１ａの端部をスクロール出口部１３７ａの熱交換器１０４側の端部よりも熱交換器１０４側に突出させることによって、スクロール出口部１３７ａの熱交換器１０４側の端部と壁部１６１ａとに挟まれた空間からなる負圧部Ｓ１０３の圧力とスクロール吹出口１３５ａから熱交換器室Ｓ１０２内に吹き出される空気の圧力との圧力差を大きくすることができる。
【００９２】
また、本実施形態において、壁部１６１ａと平板部１２５の熱交換器１０４側の面とがなす角度θは、３０°より大きく、９０°以下である。より具体的には、壁部１６１ａの内面（すなわち、スクロール出口部１３７ａの側面部１４６側の面）と、平板部１２５の熱交換器１０４側の面であって壁部１６１ａの外側の部分とがなす角度θは、３０°より大きく、９０°以下である。本実施形態の空気調和装置１０１では、壁部１６１ａと平板部１２５の熱交換器１０４側の面とがなす角度を３０°より大きくすることによって、スクロール吹出口１３５ａの外側近傍に負圧部Ｓ１０３を確実に形成させることができる。しかも、壁部１６１ａと平板部１２５の熱交換器４側の面とがなす角度を９０°以下にすることによって、スクロール吹出口１３５ａから熱交換器室Ｓ１０２内に吹き出される空気がスクロール吹出口１３５ａの外側へ確実に拡散されるようにできる。
【００９３】
（２）空気調和装置の動作
次に、本実施形態の空気調和装置１０１の動作について、図１０〜図１２を用いて説明する。
モータ１３３を起動して遠心送風機１０３を作動させることによって、ユニット吸入口１０２ｇ又はユニット吸入口１０２ｈを介してユニットケーシング１０２の送風機室Ｓ１０１内に空気が吸入され、送風機室Ｓ１０１内に吸入された空気がスクロール吸入口１３４ａ、１３４ｂを通じて各スクロールケーシング１３２ａ、１３２ｂ内に吸入され、羽根車１３１ａ、１３１ｂの内周側から外周側に吹き出される。この羽根車１３１ａ、１３１ｂの外周側に吹き出されて昇圧された空気は、仕切部材１２４の連通開口１２５ａ、１２５ｂに対応するように配置されたスクロール吹出口１３５ａ、１３５ｂから熱交換器室Ｓ１０２内に吹き出される。そして、スクロール吹出口１３５ａ、１３５ｂから熱交換器室Ｓ１０２内に吹き出された空気は、熱交換器１０４の伝熱管内を流れる冷媒と熱交換を行うことによって冷却又は加熱されて、ユニット吹出口１０２ｉから室内に吹き出される。
【００９４】
ここで、本実施形態の空気調和装置１０１では、スクロール出口部１３７ａ、１３７ｂの外側に平板部１２５の熱交換器１０４側に突出する壁部１６１ａ、１６１ｂが設けられているため、スクロール吹出口１３５ａ、１３５ｂの外側近傍にスクロール吹出口１３５ａ、１３５ｂから熱交換器室Ｓ１０２内に吹き出される空気の圧力よりも圧力の低い負圧部Ｓ１０３が形成される。そして、スクロール吹出口１３５ａ、１３５ｂから熱交換器室Ｓ１０２内に吹き出される空気（図１２の矢印Ｆ参照）は、この負圧部Ｓ１０３に引き込まれるように流れるようになるため、スクロール出口部に壁部が設けられていない場合（スクロール出口部に壁部が設けられていない場合の空気の流れを示す矢印ｆ参照）に比べて、スクロール吹出口１３５ａ、１３５ｂの外側へ拡散される。具体的には、壁部１６１ａ、１６１ｂは、スクロール出口部１３７ａ、１３７ｂの回転軸Ｏ方向の外側にそれぞれ配置されており、熱交換器室Ｓ１０２内において、スクロール吹出口１３５ａ、１３５ｂの回転軸Ｏ方向の外側近傍に負圧部Ｓ１０３が形成されることとなる。このため、本実施形態の空気調和装置１０１のように、羽根車１３１ａ、１３１ｂが仕切部材１２４の平板部１２５に沿う回転軸Ｏを中心として回転するように配置されている場合には、この回転軸Ｏに交わる方向に開口するスクロール出口部１３７ａ、１３７ｂから熱交換器室Ｓ１０２に吹き出される空気が、回転軸Ｏに沿う方向には拡散されにくい傾向が強いが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａ、１３５ｂの回転軸Ｏ方向の外側へ拡散されやすくなる。これにより、送風能力の低下を抑えつつ、熱交換器１０４を通過する空気の偏流を抑えることができるようになる。
【００９５】
しかも、壁部１６１ａはスクロール出口部１３７ａの外側のうち隣り合うスクロールケーシングであるスクロールケーシング１３２ｂ側に配置され、かつ、壁部１６１ｂはスクロール出口部１３７ｂの外側のうち隣り合うスクロールケーシングであるスクロールケーシング１３２ａ側に配置されているため、熱交換器室Ｓ１０２内において、スクロール吹出口１３５ａのスクロールケーシング１３２ｂ側及びスクロール吹出口１３５ｂのスクロールケーシング１３２ａ側に、負圧部Ｓ１０３が形成されることとなる。このため、本実施形態の空気調和装置１０１のように、羽根車１３１ａ、１３１ｂが仕切部材１２４の平板部１２５に沿う回転軸Ｏを中心として回転するように、かつ、羽根車１３１ａ、１３１ｂ及びスクロールケーシング１３２ａ、１３２ｂが回転軸Ｏ方向に複数並んで配置されている場合には、互いに隣り合うスクロールケーシング１３２ａ及びスクロールケーシング１３２ｂの回転軸Ｏ方向間に隙間が形成されることとなり、スクロール出口部１３７ａ、１３７ｂから熱交換器室Ｓ１０２内に吹き出された空気が、この隙間に対応する部分を通過しにくくなるが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａのスクロールケーシング１３２ｂ側及びスクロール吹出口１３５ｂのスクロールケーシング１３２ａ側へ拡散されやすくなる。これにより、送風能力の低下を抑えつつ、熱交換器１０４を通過する空気の偏流を抑えることができる。
【００９６】
また、壁部１６１ａはスクロール出口部１３７ａの外側のうちモータ１３３側に配置され、かつ、壁部１６１ｂはスクロール出口部１３７ｂの外側のうちモータ１３３側に配置されているため、熱交換器室Ｓ１０２内において、スクロール吹出口１３５ａのモータ１３３側及びスクロール吹出口１３５ｂのモータ１３３側に、負圧部Ｓ１０３が形成されることとなる。このため、本実施形態の空気調和装置１０１のように、羽根車１３１ａ、１３１ｂを回転駆動するモータ１３３がスクロールケーシング１３２ａ、１３２ｂの回転軸Ｏ方向側に配置されている場合には、スクロール吹出口１３５ａ、１３５ｂから熱交換器室Ｓ１０２内に吹き出された空気が、主として熱交換器１０４のうち平板部１２４を挟んでスクロールケーシング１３２ａ、１３２ｂに対向する部分を通過してしまい、熱交換器１０４のうち平板部１２４を挟んでモータ１３３に対向する部分を通過しにくくなるが、負圧部Ｓ１０３が形成されることによって、スクロール吹出口１３５ａ、１３５ｂから熱交換器室Ｓ１０２内に吹き出される空気は、この負圧部Ｓ１０３に引き込まれるように流れるようになるため、スクロール吹出口１３５ａ、１３５ｂのモータ１３３側へ拡散されやすくなる。これにより、送風能力の低下を抑えつつ、熱交換器１０４を通過する空気の偏流を抑えることができる。
【００９７】
また、本実施形態の空気調和装置１０１では、距離ｃを羽根車１３１ａ、１３１ｂのロータ幅Ｗの０．５倍以下にすることによって、スクロール吹出口１３５ａ、１３５ｂの外側近傍に負圧部Ｓ１０３を確実に形成させることができるようになっている。
また、本実施形態の空気調和装置１０１では、距離ａを０より大きくする、すなわち、スクロール出口部１３７ａ、１３７ｂの熱交換器１０４側の端部を熱交換器室Ｓ１０２側に突出させることによって、スクロール吹出口１３５ａ、１３５ｂから熱交換器室Ｓ１０２内に吹き出される空気をスクロール吹出口１３５ａ、１３５ｂの外側へ拡散させる効果の大きい、スクロール吹出口１３５ａ、１３５ｂの外側近傍にスクロール出口部１３７ａ、１３７ｂの熱交換器１０４側の端部と壁部１６１ａ、１６１ｂとに挟まれた空間からなる負圧部Ｓ１０３を形成することができるようになっている。しかも、距離ａを羽根車１３１ａ、１３１ｂのロータ径Ｄの０．３倍以下にすることによって、スクロール吹出口１３５ａ、１３５ｂと熱交換器１０４との間に、スクロール吹出口１３５ａ、１３５ｂから熱交換器室Ｓ１０２内に吹き出される空気がスクロール吹出口１３５ａ、１３５ｂの外側に拡散するのに十分な距離を確保することができるようになっている。
【００９８】
また、本実施形態の空気調和装置１０１では、距離ｂを距離ａ以上、すなわち、壁部１６１ａ、１６１ｂの端部をスクロール出口部１３７ａ、１３７ｂの熱交換器１０４側の端部よりも熱交換器１０４側に突出させることによって、スクロール出口部１３７ａ、１３７ｂの熱交換器１０４側の端部と壁部１６１ａ、１６１ｂとに挟まれた空間からなる負圧部Ｓ１０３の圧力とスクロール吹出口１３５ａ、１３５ｂから熱交換器室Ｓ１０２内に吹き出される空気の圧力との圧力差を大きくすることができるため、スクロール吹出口１３５ａ、１３５ｂから熱交換器室Ｓ１０２内に吹き出される空気をスクロール吹出口１３５ａ、１３５ｂの外側へ拡散させる効果を高めることができるようになっている。しかも、距離ｂを羽根車１３１ａ、１３１ｂのロータ径Ｄの０．５倍以下にすることによって、負圧部Ｓ１０３によってスクロール吹出口１３５ａ、１３５ｂの外側に向かって拡散しようとする空気の流れを壁部１６１ａ、１６１ｂによって極力制限しないようにすることができるため、スクロール吹出口１３５ａ、１３５ｂから熱交換器室Ｓ１０２内に吹き出される空気を壁部１６１ａ、１６１ｂの外側までさらに拡散させることができるようになっている。
【００９９】
また、本実施形態の空気調和装置１０１では、角度θを３０°より大きくすることによって、スクロール吹出口１３５ａ、１３５ｂの外側近傍に負圧部Ｓ１０３を確実に形成させることができる。しかも、角度θを９０°以下にすることによって、スクロール吹出口１３５ａ、１３５ｂから熱交換器室Ｓ１０２内に吹き出される空気がスクロール吹出口１３５ａ、１３５ｂの外側へ確実に拡散されるようにできるようになっている。
【０１００】
このように、本実施形態の空気調和装置１０１では、熱交換器１０４が仕切部材１２４の平板部１２５のほぼ全面に対向しているのに対して、平板部１２５の連通開口１２５ａ、１２５ｂ、すなわち、スクロールケーシング１３２ａ、１３２ｂのスクロール吹出口１３５ａ、１３５ｂが仕切部材１２４の平板部１２５に部分的に設けられているだけであるが、上述のような壁部１６１ａ、１６１ｂを設けることによって、スクロール出口部１３７ａ、１３７ｂのサイズを大きくすることなく、スクロール吹出口１３５ａ、１３５ｂから熱交換器室Ｓ１０２内に吹き出される空気を、スクロール吹出口１３５ａ、１３５ｂの外側、特に、回転軸Ｏ方向の外側に拡散させながら熱交換器１０４を通過させることができて、熱交換器１０４を通過する空気に偏流を抑えることができるようになっている。
【０１０１】
しかも、壁部１６１ａ、１６１ｂは、仕切部材１２４の平板部１２５の熱交換器室Ｓ１０２側に設けられているため、スクロール吸入口１３４ａ、１３４ｂの邪魔になったり、スクロール出口部１３７ａ、１３７ｂにおける動圧回収がされにくくなるというような問題も生じることもなく、さらに、送風機室Ｓ１０１内のスペースに余裕がない場合やユニットケーシング１０２をコンパクトにしなければならない場合において、熱交換器１０４を通過する空気に偏流を抑える手段として効果的である。
【０１０２】
（３）変形例１
本実施形態の空気調和装置１０１においても、第１実施形態の空気調和装置１の変形例１と同様に、壁部１６１ａ、１６１ｂの熱交換器１０４側の端部に、セレーションを設けてもよい（図１３参照）。これにより、壁部１６１ａ、１６１ｂの熱交換器１０４側の端部におけるスクロール吹出口１３５ａ、１３５ｂから熱交換器室Ｓ１０２内に吹き出される空気の圧力変動を抑えることができるようになり、壁部１６１ａ、１６１ｂの熱交換器１０４側の端部における圧力変動による騒音の発生を抑えることができる。
【０１０３】
また、本実施形態の空気調和装置１０１においても、第１実施形態の空気調和装置１の変形例２と同様に、壁部１６１ａ、１６１ｂの内面に、複数のディンプルを設けたり（図１４参照）、複数の貫通孔１７３を設けるようにしてもよい（図１５参照）。これにより、スクロール吹出口１３５ａ、１３５ｂから熱交換器室Ｓ１０２内に吹き出される空気を、壁部１６１ａ、１６１ｂのスクロール出口部１３７ａ、１３７ｂ側の面に沿わせることができるようになり、スクロール吹出口１３５ａ、１３５ｂから熱交換器室Ｓ１０２内に吹き出される空気をスクロール吹出口１３５ａ、１３５ｂの外側へ拡散させる効果を高めることができる。
【０１０４】
さらに、本実施形態の空気調和装置１０１においても、第１実施形態の空気調和装置１の変形例３と同様に、セレーション１７１と、複数のディンプル１７２又は貫通孔１７３とを同時に、壁部１６１ａ、１６１ｂに設けるようにしてもよい（図１６参照、例として、セレーション１７１とディンプル１７２を設けた形態を図示している）。これにより、セレーションを設けたことによる効果と、複数のディンプル又は貫通孔を設けたことによる効果を同時に得ることができる。
【０１０５】
（４）変形例２
また、上述の第２実施形態（変形例１を含む）の空気調和装置１０１においても、第１実施形態の空気調和装置１の変形例４と同様に、スクロールケーシング１３２ａ、１３２ｂのスクロール出口部１３７ａ、１３７ｂを、回転軸Ｏ方向のサイズＬを大きくすることなく、モータ１３３側に傾斜しながら連通開口１２５ａ、１２５ｂに向かって延びるように形成してもよい（図１７参照）。これにより、熱交換器室Ｓ１０２から吹き出された空気が、熱交換器１０４のうち平板部１２５を挟んでモータ１３３に対向する部分をさらに通過しやすくなり、熱交換器１０４を通過する空気の偏流を抑えることができる。しかも、スクロール出口部１３７ａ、１３７ｂの回転軸Ｏ方向のサイズＬを大きくしないようにしているため、スクロール出口部１３７ａ、１３７ｂにおける動圧回収がされにくくなる等の不具合も生じにくく、送風性能の低下を抑えることができる。
【０１０６】
＜他の実施形態＞
以上、本発明の実施形態について図面に基づいて説明したが、具体的な構成は、これらの実施形態に限られるものではなく、発明の要旨を逸脱しない範囲で変更可能である。
例えば、上記の第１実施形態においては、天井吊下タイプの空気調和装置に本発明を適用した例を説明し、上記の第２実施形態においては、ダクトタイプの空気調和装置に本発明を適用した例を説明したが、これに限定されず、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された天井埋込タイプの空気調和装置にも本発明を適用することが可能である。
【産業上の利用可能性】
【０１０７】
本発明を利用すれば、仕切部材によって送風機室と熱交換器室とに仕切られたユニットケーシングを備えており、羽根車と羽根車を収容するスクロールケーシングとを有する遠心送風機が送風機室内に配置され、熱交換器がスクロールケーシングのスクロール吹出口に対向して熱交換器室内に配置された空気調和装置において、送風能力の低下を抑えつつ、熱交換器を通過する空気の偏流を抑えることができる。
【図面の簡単な説明】
【０１０８】
【図１】本発明にかかる空気調和装置の第１実施形態としての天井吊下タイプの空気調和装置の側面断面図である。
【図２】本発明にかかる空気調和装置の第１実施形態としての天井吊下タイプの空気調和装置の平面断面図である。
【図３】図２の拡大図であって、羽根車及びスクロールケーシング付近の構造を示す図である。
【図４】図１の拡大図であって、羽根車及びスクロールケーシング付近の構造を示す図である。
【図５】第１実施形態の変形例１にかかる空気調和装置であり、スクロール出口部付近の構造を示す図である。
【図６】第１実施形態の変形例２にかかる空気調和装置であり、スクロール出口部付近の構造を示す図である。
【図７】第１実施形態の変形例２にかかる空気調和装置であり、スクロール出口部付近の構造を示す図である。
【図８】第１実施形態の変形例３にかかる空気調和装置であり、スクロール出口部付近の構造を示す図である。
【図９】第１実施形態の変形例４にかかる空気調和装置であり、図２に相当する図である。
【図１０】本発明にかかる空気調和装置の第２実施形態としてのダクトタイプの空気調和装置の側面図（図１１のＡ矢視図）である。
【図１１】本発明にかかる空気調和装置の第２実施形態としてのダクトタイプの空気調和装置の平面断面図である。
【図１２】図１１の拡大図であって、羽根車及びスクロールケーシング付近の構造を示す図である。
【図１３】第２実施形態の変形例１にかかる空気調和装置であり、スクロール出口部付近の構造を示す図である。
【図１４】第２実施形態の変形例１にかかる空気調和装置であり、スクロール出口部付近の構造を示す図である。
【図１５】第２実施形態の変形例１にかかる空気調和装置であり、スクロール出口部付近の構造を示す図である。
【図１６】第２実施形態の変形例１にかかる空気調和装置であり、スクロール出口部付近の構造を示す図である。
【図１７】第２実施形態の変形例４にかかる空気調和装置であり、図１１に相当する図である。
【符号の説明】
【０１０９】
１、１０１  空気調和装置
２、１０２  ユニットケーシング
２ａ、１０２ｇ、１０２ｈ  ユニット吸入口
２ｂ、１０２ｉ  ユニット吹出口
４、１０４  熱交換器
２４、１２４  仕切部材
２５、１２５  平板部
２５ａ〜２５ｄ、１２５ａ、１２５ｂ  連通開口
３１ａ〜３１ｄ、１３１ａ、１３１ｂ  羽根車
３２ａ〜３２ｄ、１３２ａ、１３２ｂ  スクロールケーシング
３３、１３３  モータ（電動機）
３４ａ〜３４ｄ、１３４ａ、１３４ｂ  スクロール吸入口
３５ａ〜３５ｄ、１３５ａ、１３５ｂ  スクロール吹出口
３６ａ〜３６ｄ、１３６ａ、１３６ｂ  スクロール本体部
３７ａ〜３７ｄ、１３７ａ、１３７ｂ  スクロール出口部
６１ａ〜６１ｄ、１６１ａ、１６１ｂ  壁部
７１、１７１  セレーション
７２、１７２  ディンプル
７３、１７３  貫通孔
ａ、ｂ、ｃ  距離
Ｄ  ロータ径
Ｏ  回転軸
Ｓ１  送風機室
Ｓ２  熱交換器室
Ｗ  ロータ幅
θ  角度